(57)【要約】無線ネットワークにおいて複数のユーザー装置（UE）状態構成をサポートする方法および装置が提供される。複数の候補状態構成のうちからUEのために状態構成が選択される。各候補状態構成は、複数のあらかじめ定義された動作状態のうちからの一つまたは複数のあらかじめ定義された動作状態のそれぞれの集合と関連付けられている。選択された状態構成に関する情報がUEに送信される。
2019509674.tif 000002
【特許請求の範囲】
【請求項１】
無線ネットワークにおいて複数のユーザー装置（UE）状態構成をサポートするための方法であって、当該方法は：
ネットワーク装置によってUEのために、複数の候補状態構成のうちから状態構成を選択する段階であって、各候補状態構成はそれぞれの一つまたは複数のあらかじめ定義された動作状態と関連付けられている、段階と；
前記ネットワーク装置によって、選択された状態構成に関して情報を前記UEに送信する段階とを含む、
方法。
【請求項２】
状態構成を選択することは、前記UEに関連付けられたUE型と、前記UEによってサポートされる一つまたは複数のサービスとのうちの少なくとも一方に少なくとも部分的には基づいて状態構成を選択することを含む、請求項１記載の方法。
【請求項３】
前記ネットワーク装置によって、UEエア・インターフェース機能交換手順の一部として、前記UEに関連付けられた前記UE型と、前記UEによってサポートされる前記一つまたは複数のサービスとのうちの少なくとも一方に関する情報を受信することをさらに含む、
請求項２記載の方法。
【請求項４】
前記ネットワーク装置によって、UEサポート・サービス変更手順の一部として、前記UEによってサポートされる前記一つまたは複数のサービスへの変更に関する情報を受信し；
前記UEによってサポートされる前記一つまたは複数のサービスへの変更に関する前記情報を受信することに応答して、前記ネットワーク装置によって、前記UEによってサポートされる前記一つまたは複数のサービスへの変更に関する前記情報に少なくとも部分的に基づいて、前記複数の候補状態構成のうちから置換状態構成を選択し；
前記ネットワーク装置によって、選択された置換状態構成に関して情報を前記UEに送信することをさらに含む、
請求項２記載の方法。
【請求項５】
複数の候補状態構成のうちから状態構成を選択することは：
前記UEによってサポートされる第一のサービスに少なくとも部分的には基づいて第一の状態構成を選択し；
前記UEによってサポートされる第二のサービスに少なくとも部分的には基づいて第二の状態構成を選択することを含み、
選択された状態構成に関して情報を前記UEに送信することは、選択された第一および第二の状態構成に関する情報を前記UEに送信することを含む、
請求項１ないし４のうちいずれか一項記載の方法。
【請求項６】
前記第一の状態構成に基づいて第一のネットワーク・スライスにおいて前記第一のサービスを提供し；
前記第二の状態構成に基づいて第二のネットワーク・スライスにおいて前記第二のサービスを提供することをさらに含む、
請求項１ないし５のうちいずれか一項記載の方法。
【請求項７】
前記複数の候補状態構成のうちから状態構成を選択することは、前記UEによってサポートされる複数のネットワーク・スライスのための状態構成を選択することを含み、前記複数のネットワーク・スライスのそれぞれは前記複数の候補状態構成のうちのそれぞれの状態構成に関連付けられており、
当該方法はさらに：
前記選択された状態構成に基づいて、前記UEによってサポートされる前記複数のネットワーク・スライスのうちの第一のネットワーク・スライスにおいて前記UEに第一のサービスを提供し；
前記選択された状態構成に基づいて、前記UEによってサポートされる前記複数のネットワーク・スライスのうちの第二のネットワーク・スライスにおいて前記UEに第二のサービスを提供することをさらに含む、
請求項１ないし６のうちいずれか一項記載の方法。
【請求項８】
前記一つまたは複数のあらかじめ定義された動作状態は、以下の動作状態、すなわち：ACTIVE状態、ECO状態；IDLE状態；向上IDLE状態；および向上ECO状態のうちの少なくとも二つを含む、請求項１ないし７のうちいずれか一項記載の方法。
【請求項９】
各候補状態構成はさらに、前記関連付けられたあらかじめ定義された動作状態の間の一つまたは複数の有効な状態遷移経路を示す、請求項１ないし８のうちいずれか一項記載の方法。
【請求項１０】
前記複数の候補状態構成は、以下の候補状態構成、すなわち：
ACTIVE状態およびECO状態を含むあらかじめ定義された動作状態の集合に関連付けられた候補状態構成；
ECO状態およびIDLE状態を含むあらかじめ定義された動作状態の集合に関連付けられた候補状態構成；
ACTIVE状態、ECO状態およびIDLE状態を含むあらかじめ定義された動作状態の集合に関連付けられた候補状態構成；
ACTIVE状態およびIDLE状態を含むあらかじめ定義された動作状態の集合に関連付けられた候補状態構成；
向上CONNECTED状態およびIDLE状態を含むあらかじめ定義された動作状態の集合に関連付けられた候補状態構成；および
向上IDLE状態およびACTIVE状態を含むあらかじめ定義された動作状態の集合に関連付けられた候補状態構成
のうちの少なくとも二つを含む、請求項１ないし９のうちいずれか一項記載の方法。
【請求項１１】
前記向上CONNECTED状態はその中にACTIVEおよびECOサブ状態を含み、その両者の間の状態遷移経路が前記向上CONNECTED状態内である、請求項１ないし１０のうちいずれか一項記載の方法。
【請求項１２】
前記向上IDLE状態はその中にIDLEおよびECOサブ状態を含み、その両者の間の状態遷移経路が前記向上IDLE状態内である、請求項１ないし１０のうちいずれか一項記載の方法。
【請求項１３】
前記選択された状態構成に従って前記UEと通信することをさらに含む、請求項１ないし１２のうちいずれか一項記載の方法。
【請求項１４】
前記選択された状態構成は少なくともエネルギー節約動作状態に関連付けられ、当該方法はさらに：
前記エネルギー節約動作状態にある前記UEについてUEコンテキスト情報を維持することを含む、
請求項１ないし１３のうちいずれか一項記載の方法。
【請求項１５】
無線インターフェースと；
前記無線インターフェースに動作上結合されたプロセッサと；
前記プロセッサによる実行のためのプログラミングを記憶している、前記プロセッサに動作上結合されたコンピュータ可読記憶媒体とを有するネットワーク装置であって、前記プログラミングは：
ユーザー装置（UE）のために、複数の候補状態構成のうちから状態構成を選択する段階であって、各候補状態構成はそれぞれの一つまたは複数のあらかじめ定義された動作状態と関連付けられている、段階と；
前記無線インターフェースを介して、選択された状態構成に関して情報を前記UEに送信する段階とを実行するための命令を含む、
ネットワーク装置。
【請求項１６】
状態構成を選択するための命令は、前記UEに関連付けられたUE型と、前記UEによってサポートされる一つまたは複数のサービスとのうちの少なくとも一方に少なくとも部分的には基づいて状態構成を選択するための命令を含む、請求項１５記載のネットワーク装置。
【請求項１７】
前記プログラミングはさらに、UEエア・インターフェース機能交換手順の一部として、前記UEに関連付けられた前記UE型と、前記UEによってサポートされる前記一つまたは複数のサービスとのうちの少なくとも一方に関する情報を前記無線インターフェースを介して受信するための命令を含む、請求項１６記載のネットワーク装置。
【請求項１８】
前記プログラミングはさらに：
前記無線インターフェースを介して、UEサポート・サービス変更手順の一部として、前記UEによってサポートされる前記一つまたは複数のサービスへの変更に関する情報を受信し；
前記UEによってサポートされる前記一つまたは複数のサービスへの変更に関する前記情報を受信することに応答して、前記UEによってサポートされる前記一つまたは複数のサービスへの変更に関する前記情報に少なくとも部分的に基づいて、前記複数の候補状態構成のうちから置換状態構成を選択し；
前記無線インターフェースを介して、選択された置換状態構成に関して情報を前記UEに送信するための命令を含む、
請求項１６記載のネットワーク装置。
【請求項１９】
複数の候補状態構成のうちから状態構成を選択するための命令は：
前記UEによってサポートされる第一のサービスに少なくとも部分的には基づいて第一の状態構成を選択し；
前記UEによってサポートされる第二のサービスに少なくとも部分的には基づいて第二の状態構成を選択するための命令を含み、
前記無線インターフェースを介して、選択された状態構成に関して情報を前記UEに送信するための命令は、選択された第一および第二の状態構成に関して情報を前記UEに送信するための命令を含む、
請求項１５ないし１８のうちいずれか一項記載のネットワーク装置。
【請求項２０】
前記プログラミングはさらに：
前記第一の状態構成に基づいて第一のネットワーク・スライスにおいて前記第一のサービスを提供し；
前記第二の状態構成に基づいて第二のネットワーク・スライスにおいて前記第二のサービスを提供するための命令を含む、
請求項１５ないし１９のうちいずれか一項記載のネットワーク装置。
【請求項２１】
前記複数の候補状態構成のうちから状態構成を選択するための命令は、前記UEによってサポートされる複数のネットワーク・スライスのための状態構成を選択するための命令を含み、前記複数のネットワーク・スライスのそれぞれは前記複数の候補状態構成のうちでそれぞれの状態構成に関連付けられており、
前記プログラミングはさらに：
前記選択された状態構成に基づいて、前記UEによってサポートされる前記複数のネットワーク・スライスのうちの第一のネットワーク・スライスにおいて前記UEにサービスを提供し；
前記選択された状態構成に基づいて、前記UEによってサポートされる前記複数のネットワーク・スライスのうちの第二のネットワーク・スライスにおいて前記UEにサービスを提供するための命令を含む、
請求項１５ないし２０のうちいずれか一項記載のネットワーク装置。
【請求項２２】
前記一つまたは複数のあらかじめ定義された動作状態は、以下の動作状態、すなわち：ACTIVE状態、ECO状態；IDLE状態；向上IDLE状態；および向上ECO状態のうちの少なくとも二つを含む、請求項１５ないし２１のうちいずれか一項記載のネットワーク装置。
【請求項２３】
各候補状態構成はさらに、前記関連付けられたあらかじめ定義された動作状態の間の一つまたは複数の有効な状態遷移経路を示す、請求項１５ないし２２のうちいずれか一項記載のネットワーク装置。
【請求項２４】
前記複数の候補状態構成は、以下の候補状態構成、すなわち：
ACTIVE状態およびECO状態を含むあらかじめ定義された動作状態の集合に関連付けられた候補状態構成；
ECO状態およびIDLE状態を含むあらかじめ定義された動作状態の集合に関連付けられた候補状態構成；
ACTIVE状態、ECO状態およびIDLE状態を含むあらかじめ定義された動作状態の集合に関連付けられた候補状態構成；
ACTIVE状態およびIDLE状態を含むあらかじめ定義された動作状態の集合に関連付けられた候補状態構成；
向上CONNECTED状態およびIDLE状態を含むあらかじめ定義された動作状態の集合に関連付けられた候補状態構成；および
向上IDLE状態およびACTIVE状態を含むあらかじめ定義された動作状態の集合に関連付けられた候補状態構成
のうちの少なくとも二つを含む、
請求項１５ないし２３のうちいずれか一項記載のネットワーク装置。
【請求項２５】
前記向上CONNECTED状態はその中にACTIVEおよびECOサブ状態を含み、その両者の間の状態遷移経路は前記向上CONNECTED状態内である、請求項１５ないし２４のうちいずれか一項記載のネットワーク装置。
【請求項２６】
前記向上IDLE状態はその中にIDLEおよびECOサブ状態を含み、その両者の間の状態遷移経路は前記向上IDLE状態内である、請求項１５ないし２４のうちいずれか一項記載のネットワーク装置。
【請求項２７】
前記プログラミングはさらに、前記選択された状態構成に従って前記UEと通信するための命令を含む、請求項１５ないし２６のうちいずれか一項記載のネットワーク装置。
【請求項２８】
前記選択された状態構成は少なくともエネルギー節約動作状態に関連付けられ、前記プログラミングはさらに：
前記エネルギー節約動作状態にある前記UEについてUEコンテキスト情報を維持するための命令を含む、
請求項１５ないし２７のうちいずれか一項記載のネットワーク装置。
【請求項２９】
無線ネットワークにおいて複数のUE状態構成をサポートするための方法であって、当該方法は：
ユーザー装置（UE）によって、前記無線ネットワークから、前記UEのために選択された状態構成に関する情報を受信する段階であって、前記選択された状態構成は複数の候補状態構成のうちから選択されたものであり、各候補状態構成はそれぞれの一つまたは複数のあらかじめ定義された動作状態と関連付けられている、段階と；
前記UEによって、選択された状態構成に従って前記無線ネットワークと通信する段階とを含む、
方法。
【請求項３０】
前記UEによって、UEエア・インターフェース機能交換手順の一部として、前記UEに関連付けられたUE型と、前記UEによってサポートされる一つまたは複数のサービスとのうちの少なくとも一方に関する情報を送信することをさらに含み、
前記UEのために選択された状態構成は、前記UEに関連付けられた前記UE型に関する情報と、前記UEによってサポートされる前記一つまたは複数のサービスに関する情報とのうちの少なくとも一方に少なくとも部分的には基づいて前記複数の候補状態構成のうちから選択される、
請求項２９記載の方法。
【請求項３１】
前記UEによって、UEサポート・サービス変更手順の一部として、前記UEによってサポートされる前記一つまたは複数のサービスへの変更に関する情報を送信する段階と；
前記UEによって、前記UEによってサポートされる前記一つまたは複数のサービスへの変更に関する情報に少なくとも部分的には基づいて、前記複数の候補状態構成のうちから前記UEのために選択された置換状態構成に関する情報を前記無線ネットワークから受信する段階と；
前記UEによって、選択された置換状態構成に従って前記無線ネットワークと通信する段階とをさらに含む、
請求項３０記載の方法。
【請求項３２】
前記UEは少なくとも第一のサービスおよび第二のサービスを含む複数のサービスをサポートし、
前記UEによって、前記無線ネットワークから、前記UEのために選択された状態構成に関する情報を受信することが：
前記UEによって、前記UEによってサポートされる前記第一のサービスに少なくとも部分的には基づいて前記複数の候補状態構成のうちから選択された第一の状態構成に関する情報を受信し；
前記UEによって、前記UEによってサポートされる前記第二のサービスに少なくとも部分的には基づいて前記複数の候補状態構成のうちから選択された第二の状態構成に関する情報を受信することを含み、
前記UEによって、前記選択された状態構成に従って前記無線ネットワークと通信することが：
前記UEによって、前記第一の選択された状態構成に従って前記第一のサービスに関して前記無線ネットワークと通信し；
前記UEによって、前記第二の選択された状態構成に従って前記第二のサービスに関して前記無線ネットワークと通信することを含む、
請求項２９ないし３１のうちいずれか一項記載の方法。
【請求項３３】
前記第一の選択された状態構成に従って前記第一のサービスに関して前記無線ネットワークと通信することは、前記第一の選択された状態構成に従って前記無線ネットワークの第一のネットワーク・スライスと通信することを含み；
前記第二の選択された状態構成に従って前記第二のサービスに関して前記無線ネットワークと通信することは、前記第二の選択された状態構成に従って前記無線ネットワークの第二のネットワーク・スライスと通信することを含む、
請求項２９ないし３２のうちいずれか一項記載の方法。
【請求項３４】
前記選択された状態構成は少なくともエネルギー節約動作状態に関連付けられ、該エネルギー節約動作状態においては、UEコンテキストが、前記UEによって、前記無線ネットワークとともに維持される、請求項２９ないし３３のうちいずれか一項記載の方法。
【請求項３５】
各候補状態構成はさらに、前記関連付けられたあらかじめ定義された動作状態の間の一つまたは複数の有効な状態遷移経路を示す、請求項２９ないし３４のうちいずれか一項記載の方法。
【請求項３６】
無線インターフェースと；
前記無線インターフェースに動作上結合されたプロセッサと；
前記プロセッサによる実行のためのプログラミングを記憶している、前記プロセッサに動作上結合されたコンピュータ可読記憶媒体とを有するユーザー装置（UE）であって、前記プログラミングは：
無線ネットワークから、当該UEのために選択された状態構成に関する情報を前記無線インターフェースを介して受信する段階であって、前記選択された状態構成は複数の候補状態構成のうちから選択されたものであり、各候補状態構成はそれぞれの一つまたは複数のあらかじめ定義された動作状態と関連付けられている、段階と；
選択された状態構成に従って前記無線ネットワークと通信する段階とを実行するための命令を含む、
UE。
【請求項３７】
前記プログラミングはさらに：
前記無線インターフェースを介して、UEエア・インターフェース機能交換手順の一部として、当該UEに関連付けられたUE型と、当該UEによってサポートされる一つまたは複数のサービスとのうちの少なくとも一方に関する情報を送信するための命令を含み、
当該UEのために選択された状態構成は、当該UEに関連付けられた前記UE型に関する情報と、当該UEによってサポートされる前記一つまたは複数のサービスに関する情報とのうちの少なくとも一方に少なくとも部分的には基づいて前記複数の候補状態構成のうちから選択される、
請求項３６記載のUE。
【請求項３８】
前記プログラミングはさらに：
前記無線インターフェースを介して、UEサポート・サービス変更手順の一部として、当該UEによってサポートされる前記一つまたは複数のサービスへの変更に関する情報を送信する段階と；
前記無線インターフェースを介して、当該UEによってサポートされる前記一つまたは複数のサービスへの変更に関する情報に少なくとも部分的には基づいて、前記複数の候補状態構成のうちから当該UEのために選択された置換状態構成に関する情報を前記無線ネットワークから受信する段階と；
前記無線インターフェースを介して、選択された置換状態構成に従って前記無線ネットワークと通信する段階とを実行するための命令を含む、
請求項３７記載のUE。
【請求項３９】
当該UEは少なくとも第一のサービスおよび第二のサービスを含む複数のサービスをサポートし、
前記無線ネットワークから、当該UEのために選択された状態構成に関する情報を受信するための命令は：
当該UEによってサポートされる前記第一のサービスに少なくとも部分的には基づいて前記複数の候補状態構成のうちから選択された第一の状態構成に関する情報を受信し；
当該UEによってサポートされる前記第二のサービスに少なくとも部分的には基づいて前記複数の候補状態構成のうちから選択された第二の状態構成に関する情報を受信するための命令を含み；
前記選択された状態構成に従って前記無線ネットワークと通信するための命令は；
前記第一の選択された状態構成に従って前記第一のサービスに関して前記無線ネットワークと通信し；
前記第二の選択された状態構成に従って前記第二のサービスに関して前記無線ネットワークと通信するための命令を含む、
請求項３６ないし３８のうちいずれか一項記載のUE。
【請求項４０】
前記第一の選択された状態構成に従って前記第一のサービスに関して前記無線ネットワークと通信するための命令は、前記第一の選択された状態構成に従って前記無線ネットワークの第一のネットワーク・スライスと通信するための命令を含み；
前記第二の選択された状態構成に従って前記第二のサービスに関して前記無線ネットワークと通信するための命令は、前記第二の選択された状態構成に従って前記無線ネットワークの第二のネットワーク・スライスと通信するための命令を含む、
請求項３６ないし３９のうちいずれか一項記載のUE。
【請求項４１】
前記選択された状態構成は少なくともエネルギー節約動作状態に関連付けられ、該エネルギー節約動作状態においてはUEコンテキストが、当該UEによって、前記無線ネットワークとともに維持される、
請求項３６ないし４０のうちいずれか一項記載のUE。
【請求項４２】
各候補状態構成はさらに、前記関連付けられたあらかじめ定義された動作状態の間の一つまたは複数の有効な状態遷移経路を示す、請求項３６ないし４１のうちいずれか一項記載のUE。
【発明の詳細な説明】
【技術分野】
【０００１】
関連出願への相互参照
本願は2016年2月28日に出願された「ユーザー装置状態構成のシステムおよび方法」と題する米国仮特許出願第62/296,911号および2017年2月17日に出願された「ユーザー装置状態構成のシステムおよび方法」と題する米国非仮出願第15/436,387号の利益を主張するものである。各出願の内容はここに参照によってその全体において組み込まれる。
【０００２】
分野
本開示は、概括的には無線通信に、個別的実施形態においてはユーザー装置状態構成（state  configuration）のためのシステムおよび方法に関する。
【背景技術】
【０００３】
ユーザー装置（UE）デバイス（たとえばスマートフォン、タブレット）はますます進化型ノードB（eNB）に接続されるようになってきており、前景で種々のサービス（フォアグラウンド・サービスと称される）が走るだけでなく、背景で種々のサービス（バックグランド・サービスと称される）が走る。UEは一般に、端末、加入者、ユーザー、移動局、モバイルなどとも称されることがある。eNBは一般にノードB、基地局、コントローラ、通信コントローラ、アクセス・ポイントなどと称されることもある。
【０００４】
フォアグラウンド・サービス（および関連するメッセージ・トラフィック――「フォアグラウンド・トラフィック」）はビデオ・ストリーミング、ウェブ・ブラウズ、ファイル転送、ゲームなどを含む。バックグラウンド・サービス（および関連するメッセージ・トラフィック――「バックグラウンド・トラフィック」）は、モバイル・オペレーティング・システムまたはインスタント・メッセージングによって生成されるキープアライブ（keep  alive）・メッセージ、センサーおよび／またはスマート・メーターによって生成されるレポートなどを含む。
【０００５】
（たとえばバッテリー寿命を延ばすために）エネルギーを節約しつつ、常時オンの接続性を提供すること（既存の接続が終了することを許し、必要とされるときに別の接続を再確立するのではなく、低レイテンシーの通信を可能にするよう既存の接続を維持すること）は、引き続く課題である。
【発明の概要】
【０００６】
追加的な信号伝達オーバーヘッドを避けるようユーザー装置状態構成のシステムおよび方法を提供することが本開示の目的である。
【０００７】
本開示の第一の側面は、無線ネットワークにおいて複数のユーザー装置（UE）状態構成をサポートするための方法を提供する。第一の側面に基づく方法は：ネットワーク装置によってUEのために、複数の候補状態構成のうちから状態構成を選択する段階であって、各候補状態構成はそれぞれの一つまたは複数のあらかじめ定義された動作状態と関連付けられている、段階と；前記ネットワーク装置によって、選択された状態構成に関して情報をUEに送信する段階とを含む。
【０００８】
本開示の第一の側面に基づく方法のいくつかの実施形態では、状態構成を選択することは、UEに関連付けられたUE型と、UEによってサポートされる一つまたは複数のサービスとのうちの少なくとも一つに少なくとも部分的には基づいて状態構成を選択することを含む。
【０００９】
本開示の第一の側面に基づく方法のいくつかの実施形態では、本方法はさらに、前記ネットワーク装置によって、UEエア・インターフェース機能交換手順の一部として、UEに関連付けられたUE型と、UEによってサポートされる一つまたは複数のサービスとのうちの少なくとも一つに関する情報を受信することを含む。
【００１０】
本開示の第一の側面に基づく方法のいくつかの実施形態では、本方法はさらに：前記ネットワーク装置によって、UEサポート・サービス変更手順の一部として、UEによってサポートされる前記一つまたは複数のサービスへの変更に関する情報を受信し；UEによってサポートされる前記一つまたは複数のサービスへの変更に関する情報を受信することに応答して、前記ネットワーク装置によって、UEによってサポートされる前記一つまたは複数のサービスへの変更に関する情報に少なくとも部分的に基づいて、前記複数の候補状態構成のうちから置換状態構成を選択し；前記ネットワーク装置によって、選択された置換状態構成に関する情報をUEに送信することを含む。
【００１１】
本開示の第一の側面に基づく方法のいくつかの実施形態では：
複数の候補状態構成のうちから状態構成を選択することは：
UEによってサポートされる第一のサービスに少なくとも部分的には基づいて第一の状態構成を選択し；
UEによってサポートされる第二のサービスに少なくとも部分的には基づいて第二の状態構成を選択することを含み、
選択された状態構成に関する情報をUEに送信することは、選択された第一および第二の状態構成に関する情報をUEに送信することを含む。
【００１２】
本開示の第一の側面に基づく方法のいくつかの実施形態では、本方法はさらに：
前記第一の状態構成に基づいて第一のネットワーク・スライスにおいて前記第一のサービスを提供し；
前記第二の状態構成に基づいて第二のネットワーク・スライスにおいて前記第二のサービスを提供することを含む。
【００１３】
本開示の第一の側面に基づく方法のいくつかの実施形態では、
前記複数の候補状態構成のうちから状態構成を選択することは、UEによってサポートされる複数のネットワーク・スライスのための状態構成を選択することを含み、前記複数のネットワーク・スライスのそれぞれは前記複数の候補状態構成のうちのそれぞれの状態構成に関連付けられており、
本方法はさらに：
前記選択された状態構成に基づいて、UEによってサポートされる前記複数のネットワーク・スライスのうちの第一のネットワーク・スライスにおいてUEに第一のサービスを提供し；
前記選択された状態構成に基づいて、UEによってサポートされる前記複数のネットワーク・スライスのうちの第二のネットワーク・スライスにおいてUEに第二のサービスを提供することを含む。
【００１４】
本開示の第一の側面に基づく方法のいくつかの実施形態では、前記一つまたは複数のあらかじめ定義された動作状態は、以下の動作状態、すなわち：ACTIVE状態、ECO状態；IDLE状態；向上IDLE状態；および向上ECO状態のうちの少なくとも二つを含む。
【００１５】
本開示の第一の側面に基づく方法のいくつかの実施形態では、各候補状態構成（state  configuration）はさらに、前記関連付けられたあらかじめ定義された動作状態の間の一つまたは複数の有効な状態遷移経路を示す。
【００１６】
本開示の第一の側面に基づく方法のいくつかの実施形態では、前記複数の候補状態構成は、以下の候補状態構成、すなわち：
ACTIVE状態およびECO状態を含むあらかじめ定義された動作状態の集合に関連付けられた候補状態構成；
ECO状態およびIDLE状態を含むあらかじめ定義された動作状態の集合に関連付けられた候補状態構成；
ACTIVE状態、ECO状態およびIDLE状態を含むあらかじめ定義された動作状態の集合に関連付けられた候補状態構成；
ACTIVE状態およびIDLE状態を含むあらかじめ定義された動作状態の集合に関連付けられた候補状態構成；
向上CONNECTED〔接続〕状態およびIDLE状態を含むあらかじめ定義された動作状態の集合に関連付けられた候補状態構成；および
向上IDLE状態およびACTIVE状態を含むあらかじめ定義された動作状態の集合に関連付けられた候補状態構成
のうちの少なくとも二つを含む。
【００１７】
本開示の第一の側面に基づく方法のいくつかの実施形態では、前記向上CONNECTED状態はその中にACTIVEおよびECOサブ状態を含み、その両者の間の状態遷移経路は前記向上CONNECTED状態内である。
【００１８】
本開示の第一の側面に基づく方法のいくつかの実施形態では、前記向上IDLE状態はその中にIDLEおよびECOサブ状態を含み、その両者の間の状態遷移経路は前記向上IDLE状態内である。
【００１９】
本開示の第一の側面に基づく方法のいくつかの実施形態では、本方法はさらに、前記選択された状態構成に従ってUEと通信することを含む。
【００２０】
本開示の第一の側面に基づく方法のいくつかの実施形態では、前記選択された状態構成は少なくともエネルギー節約動作状態に関連付けられ、本方法はさらに：
エネルギー節約動作状態にあるUEのためのUEコンテキスト情報を維持することを含む。
【００２１】
本開示の第一の側面に基づく方法のいくつかの実施形態では、本方法はさらに、UEが前記第一のエネルギー節約動作状態において動作しているときに上りリンクおよび下りリンクの少なくとも一方でUEとのライト接続管理（light  connection  management）を維持することを含む。
【００２２】
本開示の第一の側面に基づく方法のいくつかの実施形態では、本方法はさらに、UEが前記第一のエネルギー節約動作状態において動作しているときにUEからの承認不要の（grant-free）上りリンク送信を受信することを含む。
【００２３】
本開示の第一の側面に基づく方法のいくつかの実施形態では、本方法はさらに、UEが前記第一のエネルギー節約動作状態において動作しているときに、前記ネットワーク装置がUEの位置追跡を実行することを含む。
【００２４】
本開示の第一の側面に基づく方法のいくつかの実施形態では、本方法はさらに、前記選択された状態構成がアクティブな動作状態をさらに含むことを含み、本方法はさらに：
UEが前記アクティブな動作状態で動作しているときに上りリンクおよび下りリンクでUEとのアクティブな接続管理を実行することを含む。
【００２５】
本開示の第一の側面に基づく方法のいくつかの実施形態では、本方法はさらに：
前記選択された状態構成が向上CONNECTED動作状態をさらに含むことを含み；
前記アクティブな動作状態および前記第一のエネルギー節約動作状態は前記向上CONNECTED動作状態のサブ状態である。
【００２６】
本開示の第一の側面に基づく方法のいくつかの実施形態では、本方法はさらに：
前記選択された状態構成が向上IDLE動作状態をさらに含むことを含み；
前記第一のエネルギー節約動作状態および前記第二のエネルギー節約動作状態は前記向上IDLE動作状態のサブ状態である。
【００２７】
本開示の第二の側面は、
無線インターフェースと；
前記無線インターフェースに動作上結合されたプロセッサと；
前記プロセッサによる実行のためのプログラミングを記憶している、前記プロセッサに動作上結合されたコンピュータ可読記憶媒体とを有するネットワーク装置を提供する。前記プログラミングは：
ユーザー装置（UE）のために、複数の候補状態構成のうちから状態構成を選択する段階であって、各候補状態構成はそれぞれの一つまたは複数のあらかじめ定義された動作状態と関連付けられている、段階と；
前記無線インターフェースを介して、選択された状態構成に関して情報をUEに送信する段階とを実行するための命令を含む。
【００２８】
本開示の第二の側面に基づく方法のいくつかの実施形態では、状態構成を選択するための命令は、UEに関連付けられたUE型と、UEによってサポートされる一つまたは複数のサービスとのうちの少なくとも一つに少なくとも部分的には基づいて状態構成を選択するための命令を含む。
【００２９】
本開示の第二の側面に基づく方法のいくつかの実施形態では、前記プログラミングはさらに、UEエア・インターフェース機能交換手順の一部として、UEに関連付けられたUE型と、UEによってサポートされる前記一つまたは複数のサービスとのうちの少なくとも一つに関する情報を前記無線インターフェースを介して受信するための命令を含む。
【００３０】
本開示の第二の側面に基づく方法のいくつかの実施形態では、前記プログラミングはさらに：
前記無線インターフェースを介して、UEサポート・サービス変更手順の一部として、UEによってサポートされる前記一つまたは複数のサービスへの変更に関する情報を受信し；
UEによってサポートされる前記一つまたは複数のサービスへの変更に関する情報を受信することに応答して、UEによってサポートされる前記一つまたは複数のサービスへの変更に関する情報に少なくとも部分的に基づいて、前記複数の候補状態構成のうちから置換状態構成を選択し；
前記無線インターフェースを介して、選択された置換状態構成に関する情報をUEに送信するための命令を含む。
【００３１】
本開示の第二の側面に基づく方法のいくつかの実施形態では：
複数の候補状態構成のうちから状態構成を選択するための命令は：
UEによってサポートされる第一のサービスに少なくとも部分的には基づいて第一の状態構成を選択し；
UEによってサポートされる第二のサービスに少なくとも部分的には基づいて第二の状態構成を選択するための命令を含み、
前記無線インターフェースを介して、選択された状態構成に関する情報をUEに送信するための命令は、選択された第一および第二の状態構成に関する情報をUEに送信するための命令を含む。
【００３２】
本開示の第二の側面に基づく方法のいくつかの実施形態では、前記プログラミングはさらに：
前記第一の状態構成に基づいて第一のネットワーク・スライスにおいて前記第一のサービスを提供し；
前記第二の状態構成に基づいて第二のネットワーク・スライスにおいて前記第二のサービスを提供するための命令を含む。
【００３３】
本開示の第二の側面に基づく方法のいくつかの実施形態では、
前記複数の候補状態構成のうちから状態構成を選択するための命令は、UEによってサポートされる複数のネットワーク・スライスのための状態構成を選択するための命令を含み、前記複数のネットワーク・スライスのそれぞれは前記複数の候補状態構成のうちでそれぞれの状態構成に関連付けられており、
前記プログラミングはさらに：
前記選択された状態構成に基づいて、UEによってサポートされる前記複数のネットワーク・スライスのうちの第一のネットワーク・スライスにおいてUEにサービスを提供し；
前記選択された状態構成に基づいて、UEによってサポートされる前記複数のネットワーク・スライスのうちの第二のネットワーク・スライスにおいてUEにサービスを提供するための命令を含む。
【００３４】
本開示の第二の側面に基づく方法のいくつかの実施形態では、前記一つまたは複数のあらかじめ定義された動作状態は、以下の動作状態、すなわち：ACTIVE状態、ECO状態；IDLE状態；向上IDLE状態；および向上ECO状態のうちの少なくとも二つを含む。
【００３５】
本開示の第二の側面に基づく方法のいくつかの実施形態では、各候補状態構成はさらに、前記関連付けられたあらかじめ定義された動作状態の間の一つまたは複数の有効な状態遷移経路を示す。
【００３６】
本開示の第二の側面に基づく方法のいくつかの実施形態では、前記複数の候補状態構成は、以下の候補状態構成、すなわち：
ACTIVE状態およびECO状態を含むあらかじめ定義された動作状態の集合に関連付けられた候補状態構成；
ECO状態およびIDLE状態を含むあらかじめ定義された動作状態の集合に関連付けられた候補状態構成；
ACTIVE状態、ECO状態およびIDLE状態を含むあらかじめ定義された動作状態の集合に関連付けられた候補状態構成；
ACTIVE状態およびIDLE状態を含むあらかじめ定義された動作状態の集合に関連付けられた候補状態構成；
向上CONNECTED状態およびIDLE状態を含むあらかじめ定義された動作状態の集合に関連付けられた候補状態構成；および
向上IDLE状態およびACTIVE状態を含むあらかじめ定義された動作状態の集合に関連付けられた候補状態構成
のうちの少なくとも二つを含む。
【００３７】
本開示の第二の側面に基づく方法のいくつかの実施形態では、前記向上CONNECTED状態はその中にACTIVEおよびECOサブ状態を含み、その両者の間の状態遷移経路は前記向上CONNECTED状態内である。
【００３８】
本開示の第二の側面に基づく方法のいくつかの実施形態では、前記向上IDLE状態はその中にIDLEおよびECOサブ状態を含み、その両者の間の状態遷移経路は前記向上IDLE状態内である。
【００３９】
本開示の第二の側面に基づく方法のいくつかの実施形態では、前記プログラミングはさらに、前記選択された状態構成に従ってUEと通信するための命令を含む。
【００４０】
本開示の第二の側面に基づく方法のいくつかの実施形態では、前記選択された状態構成は少なくともエネルギー節約動作状態に関連付けられ、前記プログラミングはさらに：
エネルギー節約動作状態にあるUEのためのUEコンテキスト情報を維持するための命令を含む。
【００４１】
本開示の第二の側面に基づく方法のいくつかの実施形態では、前記プログラミングはさらに、UEが前記第一のエネルギー節約動作状態において動作しているときに上りリンクおよび下りリンクの少なくとも一方でUEとのライト接続管理を維持するための命令を含む。
【００４２】
本開示の第二の側面に基づく方法のいくつかの実施形態では、前記プログラミングはさらに、UEが前記第一のエネルギー節約動作状態において動作しているときにUEからの承認不要の（grant-free）上りリンク送信があるかどうかモニタリングするための命令を含む。
【００４３】
本開示の第二の側面に基づく方法のいくつかの実施形態では、前記プログラミングはさらに、UEが前記第一のエネルギー節約動作状態において動作しているときに、UEについての位置追跡手順を実行するための命令を含む。
【００４４】
本開示の第二の側面に基づく方法のいくつかの実施形態では、
前記選択された状態構成がアクティブな動作状態をさらに含み：
前記プログラミングはさらに、UEが前記アクティブな動作状態で動作しているときに上りリンクおよび下りリンクでUEとのアクティブな接続管理を実行するための命令を含む。
【００４５】
本開示の第二の側面に基づく方法のいくつかの実施形態では：
前記選択された状態構成が向上CONNECTED動作状態をさらに含み；
前記アクティブな動作状態および前記第一のエネルギー節約動作状態は前記向上CONNECTED動作状態のサブ状態である。
【００４６】
本開示の第二の側面に基づく方法のいくつかの実施形態では：
前記選択された状態構成が向上IDLE動作状態をさらに含み；
前記第一のエネルギー節約動作状態および前記第二のエネルギー節約動作状態は前記向上IDLE動作状態のサブ状態である。
【００４７】
本開示の第三の側面は、無線ネットワークにおいて複数のUE状態構成をサポートするための方法を提供する。本方法は：
ユーザー装置（UE）によって、無線ネットワークから、前記UEのために選択された状態構成に関する情報を受信する段階であって、前記選択された状態構成は複数の候補状態構成のうちから選択されたものであり、各候補状態構成はそれぞれの一つまたは複数のあらかじめ定義された動作状態と関連付けられている、段階と；
前記UEによって、選択された状態構成に従って前記無線ネットワークと通信する段階とを含む。
【００４８】
本開示の第三の側面に基づく方法のいくつかの実施形態では、本方法はさらに：
前記UEによって、UEエア・インターフェース機能交換手順の一部として、前記UEに関連付けられたUE型と、前記UEによってサポートされる一つまたは複数のサービスとのうちの少なくとも一つに関する情報を送信することを含み、
前記UEのために選択された状態構成は、前記UEに関連付けられたUE型に関する情報と、前記UEによってサポートされる前記一つまたは複数のサービスに関する情報とのうちの少なくとも一つに少なくとも部分的には基づいて前記複数の候補状態構成のうちから選択される。
【００４９】
本開示の第三の側面に基づく方法のいくつかの実施形態では、本方法はさらに：
前記UEによって、UEサポート・サービス変更手順の一部として、前記UEによってサポートされる前記一つまたは複数のサービスへの変更に関する情報を送信する段階と；
前記UEによって、前記UEによってサポートされる前記一つまたは複数のサービスへの変更に関する情報に少なくとも部分的には基づいて、前記複数の候補状態構成のうちから前記UEのために選択された置換状態構成に関する情報を前記無線ネットワークから受信する段階と；
前記UEによって、選択された置換状態構成に従って前記無線ネットワークと通信する段階とを含む。
【００５０】
本開示の第三の側面に基づく方法のいくつかの実施形態では：
前記UEは少なくとも第一のサービスおよび第二のサービスを含む複数のサービスをサポートし、
前記UEによって、無線ネットワークから、前記UEのために選択された状態構成に関する情報を受信することが：
前記UEによって、前記UEによってサポートされる第一のサービスに少なくとも部分的には基づいて前記複数の候補状態構成のうちから選択された第一の状態構成に関する情報を受信し；
前記UEによって、前記UEによってサポートされる第二のサービスに少なくとも部分的には基づいて前記複数の候補状態構成のうちから選択された第二の状態構成に関する情報を受信することを含み、
前記UEによって、前記選択された状態構成に従って前記無線ネットワークと通信することが：
前記UEによって、前記第一の選択された状態構成に従って前記第一のサービスに関して前記無線ネットワークと通信し；
前記UEによって、前記第二の選択された状態構成に従って前記第二のサービスに関して前記無線ネットワークと通信することを含む。
【００５１】
本開示の第三の側面に基づく方法のいくつかの実施形態では、
前記第一の選択された状態構成に従って前記第一のサービスに関して前記無線ネットワークと通信することは、前記第一の選択された状態構成に従って前記無線ネットワークの第一のネットワーク・スライスを用いて通信することを含み；
前記第二の選択された状態構成に従って前記第二のサービスに関して前記無線ネットワークと通信することは、前記第二の選択された状態構成に従って前記無線ネットワークの第二のネットワーク・スライスを用いて通信することを含む。
【００５２】
本開示の第三の側面に基づく方法のいくつかの実施形態では、前記選択された状態構成は少なくともエネルギー節約動作状態に関連付けられ、該状態においてはUEコンテキストが、前記UEによって、前記無線ネットワークとともに維持される。
【００５３】
本開示の第三の側面に基づく方法のいくつかの実施形態では、各候補状態構成はさらに、前記関連付けられたあらかじめ定義された動作状態の間の一つまたは複数の有効な状態遷移経路を示す。
【００５４】
本開示の第三の側面に基づく方法のいくつかの実施形態では、前記選択された状態構成に従って前記無線ネットワークと通信することは、前記第一のエネルギー節約動作状態において動作しているときに上りリンクおよび下りリンクの少なくとも一方で前記RANとのライト接続管理を維持することを含む。
【００５５】
本開示の第三の側面に基づく方法のいくつかの実施形態では、上りリンクおよび下りリンクの少なくとも一方で前記RANとのライト接続管理を維持することは、前記第一のエネルギー節約動作状態で動作しているときに上りリンクおよび下りリンクでライト接続管理を維持することを含む。
【００５６】
本開示の第三の側面に基づく方法のいくつかの実施形態では、前記選択された状態構成に従って前記無線ネットワークと通信することは、前記第一のエネルギー節約動作状態において承認不要の（grant-free）上りリンク送信のために前記UEを構成することを含む。
【００５７】
本開示の第三の側面に基づく方法のいくつかの実施形態では、前記選択された状態構成に従って前記無線ネットワークと通信することは、前記UEの定期的な位置追跡を容易にするために、前記第一のエネルギー節約動作状態において追跡チャネルを前記UEに構成することを含む。
【００５８】
本開示の第三の側面に基づく方法のいくつかの実施形態では、前記選択された状態構成がアクティブな動作状態をさらに含み、該状態では、前記UEは上りリンクおよび下りリンクで前記RANとのアクティブな接続管理を実行する。
【００５９】
本開示の第三の側面に基づく方法のいくつかの実施形態では、前記選択された状態構成は、前記第二のエネルギー節約動作状態から前記アクティブな動作状態への状態遷移経路を含むが、前記第二のエネルギー節約動作状態から前記第一のエネルギー節約動作状態への状態遷移経路は含まない。
【００６０】
本開示の第三の側面に基づく方法のいくつかの実施形態では、前記第一のエネルギー節約動作状態と前記アクティブな動作状態との間の遷移は無競合（contention-free）である。
【００６１】
本開示の第三の側面に基づく方法のいくつかの実施形態では、
前記選択された状態構成が向上CONNECTED動作状態をさらに含み；
前記アクティブな動作状態および前記第一のエネルギー節約動作状態は前記向上CONNECTED動作状態のサブ状態である。
【００６２】
本開示の第三の側面に基づく方法のいくつかの実施形態では、前記向上CONNECTED動作状態のサブ状態の間の遷移は、前記無線ネットワークへの明示的な状態遷移信号伝達なしに行なわれる。
【００６３】
本開示の第三の側面に基づく方法のいくつかの実施形態では、
前記選択された状態構成が向上IDLE動作状態をさらに含み；
前記第一のエネルギー節約動作状態および前記第二のエネルギー節約動作状態は前記向上IDLE動作状態のサブ状態である。
【００６４】
本開示の第三の側面に基づく方法のいくつかの実施形態では、前記向上IDLE動作状態のサブ状態の間の遷移は、前記無線ネットワークへの明示的な状態遷移信号伝達なしに行なわれる。
【００６５】
本開示の第三の側面に基づく方法のいくつかの実施形態では、前記向上IDLE動作状態において、前記UEは、前記UEによってサポートされるサービスおよび／または前記UEに関連付けられたUE型に基づいて、前記向上IDLE動作状態のサブ状態の一つで動作するよう構成される。
【００６６】
本開示の第四の側面は、
無線インターフェースと；
前記無線インターフェースに動作上結合されたプロセッサと；
前記プロセッサによる実行のためのプログラミングを記憶している、前記プロセッサに動作上結合されたコンピュータ可読記憶媒体とを有するユーザー装置（UE）を提供する。前記プログラミングは：
無線ネットワークから、当該UEのために選択された状態構成に関する情報を前記無線インターフェースを介して受信する段階であって、前記選択された状態構成は複数の候補状態構成のうちから選択されたものであり、各候補状態構成はそれぞれの一つまたは複数のあらかじめ定義された動作状態と関連付けられている、段階と；
選択された状態構成に従って前記無線ネットワークと通信する段階とを実行するための命令を含む。
【００６７】
本開示の第四の側面に基づくUEのいくつかの実施形態では、前記プログラミングはさらに：
前記無線インターフェースを介して、UEエア・インターフェース機能交換手順の一部として、当該UEに関連付けられたUE型と、当該UEによってサポートされる一つまたは複数のサービスとのうちの少なくとも一つに関する情報を送信するための命令を含み、
当該UEのために選択された状態構成は、当該UEに関連付けられたUE型に関する情報と、当該UEによってサポートされる前記一つまたは複数のサービスに関する情報とのうちの少なくとも一つに少なくとも部分的には基づいて前記複数の候補状態構成のうちから選択される。
【００６８】
本開示の第四の側面に基づくUEのいくつかの実施形態では、前記プログラミングはさらに：
前記無線インターフェースを介して、UEサポート・サービス変更手順の一部として、当該UEによってサポートされる前記一つまたは複数のサービスへの変更に関する情報を送信する段階と；
前記無線インターフェースを介して、当該UEによってサポートされる前記一つまたは複数のサービスへの変更に関する情報に少なくとも部分的には基づいて、前記複数の候補状態構成のうちから当該UEのために選択された置換状態構成に関する情報を無線ネットワークから受信する段階と；
前記無線インターフェースを介して、選択された置換状態構成に従って前記無線ネットワークと通信する段階とを実行するための命令を含む。
【００６９】
本開示の第四の側面に基づくUEのいくつかの実施形態では：
当該UEは少なくとも第一のサービスおよび第二のサービスを含む複数のサービスをサポートし、
前記無線インターフェースを介して、無線ネットワークから、当該UEのために選択された状態構成に関する情報を受信するための命令は：
当該UEによってサポートされる第一のサービスに少なくとも部分的には基づいて前記複数の候補状態構成のうちから選択された第一の状態構成に関する情報を受信し；
当該UEによってサポートされる第二のサービスに少なくとも部分的には基づいて前記複数の候補状態構成のうちから選択された第二の状態構成に関する情報を受信するための命令を含み；
前記選択された状態構成に従って前記無線ネットワークと通信するための命令は；
前記第一の選択された状態構成に従って前記第一のサービスに関して前記無線ネットワークと通信し；
前記第二の選択された状態構成に従って前記第二のサービスに関して前記無線ネットワークと通信するための命令を含む。
【００７０】
本開示の第四の側面に基づくUEのいくつかの実施形態では、
前記第一の選択された状態構成に従って前記第一のサービスに関して前記無線ネットワークと通信するための命令は、前記第一の選択された状態構成に従って前記無線ネットワークの第一のネットワーク・スライスと通信するための命令を含み；
前記第二の選択された状態構成に従って前記第二のサービスに関して前記無線ネットワークと通信するための命令は、前記第二の選択された状態構成に従って前記無線ネットワークの第二のネットワーク・スライスと通信するための命令を含む。
【００７１】
本開示の第四の側面に基づくUEのいくつかの実施形態では、前記選択された状態構成は少なくともエネルギー節約動作状態に関連付けられ、該状態においてはUEコンテキストが、当該UEによって、前記無線ネットワークとともに維持される。
【００７２】
本開示の第四の側面に基づくUEのいくつかの実施形態では、各候補状態構成はさらに、前記関連付けられたあらかじめ定義された動作状態の間の一つまたは複数の有効な状態遷移経路を示す。
【００７３】
本開示の第四の側面に基づくUEのいくつかの実施形態では、前記選択された状態構成に従って前記無線ネットワークと通信するための命令は、前記第一のエネルギー節約動作状態において動作しているときに上りリンクおよび下りリンクの少なくとも一方で前記無線ネットワークとのライト接続管理を維持するための命令を含む。
【００７４】
本開示の第四の側面に基づくUEのいくつかの実施形態では、当該UEは、前記第一のエネルギー節約動作状態において承認不要の（grant-free）上りリンク送信のために構成される。
【００７５】
本開示の第四の側面に基づくUEのいくつかの実施形態では、前記状態機械の動作状態はさらに：
アクティブな動作状態を含み、該状態では、当該UEは上りリンクおよび下りリンクで前記RANとのアクティブな接続管理を実行する。
【００７６】
本開示の第四の側面に基づくUEのいくつかの実施形態では、前記第一のエネルギー節約動作状態と前記アクティブな動作状態との間の遷移は無競合（contention-free）である。
【００７７】
本開示の第四の側面に基づくUEのいくつかの実施形態では、
前記状態機械の動作状態が向上CONNECTED動作状態をさらに含み；
前記アクティブな動作状態および前記第一のエネルギー節約動作状態は前記向上CONNECTED動作状態のサブ状態である。
【００７８】
本開示の第四の側面に基づくUEのいくつかの実施形態では、前記向上CONNECTED動作状態のサブ状態の間の遷移は、前記RANへの明示的な状態遷移信号伝達なしに行なわれる。
【００７９】
本開示の第四の側面に基づくUEのいくつかの実施形態では、
前記状態機械の動作状態が向上IDLE動作状態をさらに含み；
前記第一のエネルギー節約動作状態および前記第二のエネルギー節約動作状態は前記向上IDLE動作状態のサブ状態である。
【００８０】
本開示の第四の側面に基づくUEのいくつかの実施形態では、前記向上IDLE動作状態のサブ状態の間の遷移は、前記RANへの明示的な状態遷移信号伝達なしに行なわれる。
【００８１】
本開示の第四の側面に基づくUEのいくつかの実施形態では、前記向上IDLE動作状態において、当該UEは、当該UEによってサポートされるサービスおよび／または当該UEに関連付けられたUE型に基づいて、前記向上IDLE動作状態のサブ状態の一つで動作するよう構成される。
【００８２】
本開示は、ユーザー装置状態構成のシステムおよび方法を提供する。UEのために複数の候補状態構成のうちからの選択された状態構成を使うことによって、信号伝達オーバーヘッドおよびエネルギー消費が低減される。
【図面の簡単な説明】
【００８３】
ここで、付属の図面を参照して実施形態について述べる。
【図１】本稿に記載される例示的実施形態に基づく例示的な通信システムを示す図である。
【図２】本稿に記載される例示的実施形態に基づくUE動作状態の例を示す図である。
【図３】本稿に記載される例示的実施形態に基づく二状態のサポートと三状態のサポートとを対比して信号伝達オーバーヘッドの例を示す図である。
【図４Ａ】本稿に記載される例示的実施形態に基づく状態構成の例を示す図である。
【図４Ｂ】図４Ａに示される例示的な状態構成の一つに含まれる向上IDLE状態のさらなる詳細を示す図である。
【図４Ｃ】図４Ａに示される例示的な状態構成の一つに含まれる向上CONNECTED状態のさらなる詳細を示す図である。
【図４Ｄ】図４Ａに示される例示的な状態構成の一つに含まれる向上IDLE状態のさらなる詳細を示す図である。
【図５Ａ】本稿に記載される例示的実施形態に基づくネットワーク・スライスと状態構成との間のマッピングの例を示す図である。
【図５Ｂ】本稿に記載される例示的実施形態に基づく、複数の状態構成をもって構成されたUEの例を示す図である。
【図６】ＡおよびＢは、本稿に記載される例示的実施形態に基づく例示的なメッセージ交換図である。
【図７】本稿に記載される例示的実施形態に基づく、ネットワーク装置における例示的動作の流れ図である。
【図８】本稿に記載される例示的実施形態に基づく、UEにおける例示的動作の流れ図である。
【図９】本稿に記載される例示的実施形態に基づく、UEにおける例示的動作の流れ図である。
【図１０】本稿に記載される例示的実施形態に基づく、例示的なネットワーク装置のブロック図である。
【図１１】本稿に記載される例示的実施形態に基づくUEのブロック図である。
【図１２】本稿に記載される例示的実施形態に基づく例示的なUEを示す図である。
【図１３】本稿に記載される例示的実施形態に基づく例示的なネットワーク装置を示す図である。
【発明を実施するための形態】
【００８４】
今の例示的実施形態の動作およびその構造は下記で詳細に論じられる。しかしながら、本開示が、幅広い多様な個別的コンテキストにおいて具現できる多くの適用可能な発明概念を提供することは理解しておくべきである。論じられる個別的実施形態は単に本開示の個別的な構造および本開示を運用する仕方を例解するものであって、本開示の範囲を制限するものではない。
【００８５】
モバイル・ネットワークの設計において、ネットワークがコア・ネットワーク（CN:  Core  Network）および無線アクセス・ネットワーク（RAN:  Radio  Access  Network）に分割されることのできるアーキテクチャーが登場している。RANはユーザー装置（UE）への無線通信チャネルを提供し、一方、CNは典型的には固定リンクを利用するノードおよび機能を有する。RANでは、いくつかの無線接続（典型的には固定点の間のもの）は存在するが、フロントホールおよびバックホール接続はしばしば有線接続に頼る。RANはCNとは異なる、対処すべき要求および問題をもつ。
【００８６】
図１は、コア・ネットワーク（CN）１０２および無線アクセス・ネットワーク（RAN）１０４を含む例示的な通信システム１００を示している。
【００８７】
CN  １０２は、通話制御／切り換えおよび他のネットワークへのゲートウェイといった、さまざまなサービスの任意のものを提供しうる。CN  １０２は、ルーター、スイッチおよびサーバーのようなネットワーク・コンポーネントを含む。
【００８８】
CN  １０２とRAN  １２５の間のインターフェースは、CN  １０２からのトラフィックを、アクセス・ポイント（AP:  Access  Point）を通じて一般にUEと称されるモバイル・ノードに向けられることを許容するよう備えられる。第三世代および第四世代（3G/4G）ネットワーク・アーキテクチャーでは、基地局、ベース・トランシーバ・ステーション、ノードBおよび進化型ノードB（eNB）がネットワークへの前記無線インターフェースを指すために使われてきた用語である。下記では、ネットワークの無線エッジ・ノードを表わすために、一般的なアクセス・ポイントが使われる。アクセス・ポイントは、送信ポイント（TP:  Transmission  Point）、受信ポイント（RP:  Receive  Point）および送受信ポイント（TRP:  Transmit/Receive  Point）の任意のものであることが理解される。用語APは、上述したノードおよびその後継ノードを含むと理解できるが必ずしもそれらに制約されないことが理解されるであろう。
【００８９】
RAN  １０４におけるAPは複数のUEにサービスすることがある。たとえば、図１に示されるように、RAN  １０４は、UE  １１０、UE  １１２、UE  １１４、UE  １１６およびUE  １１８を含む複数のUEにサービスするeNB  １０５を含んでいる。通信システムはいくつかのUEと通信できる複数のAPを用いてもよいことが理解されるものの、簡単のため、一つだけのAP（eNB  １０５）およびいくつかのUE（UE  １１０、１１２、１１４、１１６および１１８）が図示されている。
【００９０】
上記のように、本稿において、アクセス・ポイント（AP）はネットワークの無線エッジ・ノードを表わすために使われる。こうして、AP  １０５は、たとえば第五世代（5G）またはニューラジオ（NR:  New  Radio）無線通信ネットワークであってもよいRAN  １０４の無線エッジを提供する。UE  １１０、１１２、１１４、１１６および１１８はAP  １０５から通信を受信し、AP  １０５に通信を送信してもよい。AP  １０５からUE  １１０、１１２、１１４、１１６および１１８への通信は下りリンク（DL:  downlink）通信と称されてもよく、UE  １１０、１１２、１１４、１１６および１１８からAP  １０５への通信は上りリンク（UL:  uplink）通信と称されてもよい。
【００９１】
先に論じたように、UEがより高度になるにつれて、UEはより広い範囲のアプリケーションを走らせることができる。アプリケーションは、セッション・ベースのアプリケーションまたは非セッション・ベースのアプリケーションとして分類されうる。セッション・ベースのアプリケーションは一般に、一連のデータ交換を利用し大きな遅延に不耐性である、大量のメッセージ・トラフィックを生成する、大きなデータ帯域幅要求をもつなどであるアプリケーションである。たとえば、セッション・ベースのアプリケーションはビデオ・ストリーミング、ウェブ・ブラウズ、ファイル転送、ゲームなどを含みうる。非セッション・ベースのアプリケーションは典型的には、短いデータ交換を利用するアプリケーションであり、一部は大きな遅延を許容する、少量のメッセージ・トラフィックを生成する、小さなデータ帯域幅要求をもつなどができる。たとえば、非セッション・ベースのアプリケーションは、モバイル・オペレーティング・システムもしくはインスタント・メッセージングによって生成されるキープアライブ・メッセージ、センサーおよび／またはスマート・メーターによって生成されるレポートなどを含んでいてもよい。しかしながら、いくつかのセキュリティ・センサー・アプリケーション、健康センサー・アプリケーションなどのように、いくつかの非セッション・ベースのアプリケーションは大きな遅延を許容できないことがあることは理解される。
【００９２】
例解用の例として、UE  １１０はマルチメディア・ストリーミング・アプリケーション、ウェブ・ブラウザーおよびインスタント・メッセージング・アプリケーションを走らせており、一方、UE  １１２はマルチユーザー・ビデオ・ゲームを走らせている。同様に、UE  １１４は大きなファイル転送を実行している間にウェブ・ブラウザーを走らせており、UE１１６は、アクティブでなく接続性を維持するためにキープアライブ・メッセージを送信しているインスタント・メッセージング・アプリケーションを走らせており、一方、UE  １１８は時折報告するセンサーである。
【００９３】
電波資源および電力消費のUE使用を制御するために、多くの無線通信規格において接続状態が定義される（たとえば、ロングタームエボリューション（LTE）電波資源制御（RRC:  Radio  Resource  Control）状態、万国移動体通信システム（UMTS）RRC状態、エボリューションデータオプティマイズド（EVDO）接続状態）。
【００９４】
これらの状態は、資源使用（たとえば専用の資源、共有される資源）、制御チャネル使用および制御チャネル・モニタリング・パターンの点でUEの特性を定義し、よって、以下のメトリックの一つまたは複数に影響できる：端末電力消費；ネットワーク資源（たとえば物理的資源、端末ID割り当てなど）；データ送信遅延；および制御プレーン信号伝達オーバーヘッド。
【００９５】
多くの既存の無線通信規格は二つのみの有効な動作状態を含む。たとえば、LTE/UMTS  RRC状態はACTIVE〔アクティブ〕状態およびIDLE〔アイドル〕状態を含む。
【００９６】
例解用の例として、状態機械が二つの状態ACTIVEおよびIDLEを含み、IDLE状態はUEが送信することを許容しない場合、非セッション・ベースのアプリケーションを実行しているUEは、伝送データを送信または受信する前にACTIVE状態に遷移する（非セッション・ベースのアプリケーションの性質上、該伝送データの生起は低頻度）。状態遷移は一般に、UEとそのAPとの間での複数のメッセージの交換を要求し、特にUEが数バイトの長さ（またはそれ未満）であるメッセージを送信または受信していることがありうることを考えると、これは有意な通信オーバーヘッドおよび通信遅延を被る。
【００９７】
第三の動作状態、すなわちECO〔エコ〕状態が2014年1月8日に出願された、「無線通信システムにおける常時オン接続のためのシステムおよび方法」と題する米国特許出願第14/150,539号において提案されている。同出願はここに参照によってその全体において組み込まれる。ECO状態は非アクティブ状態と呼ばれてもよい。
【００９８】
米国特許出願第14/150,539号のいくつかの実施形態において提案されるECO状態では、小さなパケット（たとえばバックグラウンド・トラフィック）の伝送の信号伝達オーバーヘッドおよびエネルギー消費を低減するために、承認不要の送信がサポートされる。
【００９９】
LTE/UMTSにおいて定義されている従来のIDLE状態とは対照的に、米国特許出願第14/150,539号のいくつかの実施形態において提案されているようなECO状態は、非セッション・ベースのアプリケーションを実行しているUEがバックグラウンド・メッセージを使って通信することを許容し、実質的なエネルギー消費節約を許す第一の状態から、より大きなエネルギー消費に帰結するがUEがどのように通信するかについて一般に何の制約もない第二の状態（たとえばACTIVE状態）に状態を変える必要がない。
【０１００】
ECO状態におけるデータ送信を容易にするために、いくつかの実施形態では、UEコンテキストが、無線アクセス・ネットワーク（RAN）とともに維持される必要がある。たとえば、UEがECO状態で動作しているとき、UEおよびRANはUEのためのUEコンテキスト情報を維持してもよい。UEコンテキストはたとえば、UEを同定する接続ID（たとえばMAC  ID、RNTI（radio  network  temporary  identifier［無線ネットワーク一時識別子］））、RRC接続情報（たとえば無線ベアラーの構成、論理チャネル、セキュリティ）、上りリンク参照信号構成（たとえばULベースの測定のため）、MAC構成（たとえば不連続受信（DRX:  discontinuous  reception）構成）および物理的チャネル構成（たとえば承認不要のデータ送信のための資源、変調符号化方式（MCS:  modulation  coding  scheme）レベルのような構成）またはそれらの部分集合および変形を含んでいてもよい。
【０１０１】
いくつかの実施形態では、ネットワークは、UEがECO状態にあるとき、UE位置のよりよい知識をもつ。たとえば、ECO状態において、UE位置は、IDLE状態にあるUEよりも（たとえば多くのNRセルからなる追跡エリアよりも）、小さな地理的エリア内で（たとえば一つのNRセル内でまたは一つのNRセル内のいくつかのTRPもしくはビーム内で）追跡されることができる。
【０１０２】
図２は、本稿に記載される例示的実施形態に基づく、ACTIVE状態、ECO状態およびIDLE状態に関連付けられてもよい動作特性の例を示している。図３に示される例示的なACTIVE状態は、セッション・ベースのトラフィックのためのスケジュールされた承認不要のデータ送信、アクティブ接続管理を備えており、RANはUEについてのUEコンテキスト情報、たとえば専用接続ID（DCID:  dedicated  connection  ID）を維持する。図３に示される例示的なECO状態はバックグラウンド・トラフィックのための承認不要のデータ送信、ライト接続管理を備えており、RANはUEについてのUEコンテキスト情報、たとえばDCIDを維持する。図３に示される例示的なACTIVE状態およびECO状態とは異なり、図３に示されるIDLE状態では、RANはUEについてUEコンテキスト情報を維持しない。図３に示される例示的なIDLE状態では、UEは下りリンク測定をモニタリングし、ページング・メッセージのためのページング・チャネルをモニタリングするが、上りリンク・データを送信しない。ECOおよびIDLE状態は、ACTIVE状態に比してエネルギー節約動作状態と考えられる。これらが単にこれらの動作状態に関連付けられうる動作特性の例であって、他の実施形態では前記動作状態の一つまたは複数が異なる動作特性を有していてもよいことは明白であるはずである。一般に、動作状態は、ネットワークに接続されている状態の点で互いに異なり、これは上記で論じたように、端末電力消費、ネットワーク資源、データ伝送遅延および／または制御プレーン信号伝達オーバーヘッドに影響しうる。
【０１０３】
しかしながら、図３に示されるように、三つの潜在的な動作状態の間（たとえばACTIVE、ECO、IDLE状態の間）での状態遷移をサポートすることは、二つの潜在的な動作状態の間での状態遷移をサポートするだけに比べて、追加的な信号伝達オーバーヘッドを被ることがありうる。図３は、二つだけの状態の間および三つの状態の間の遷移をサポートするための信号伝達オーバーヘッドの三つの例を示している。ここで、ACTIVE、ECO、IDLE状態はそれぞれ文字A、E、Iを使って参照される。ここでもまた、図３に示される信号伝達の例は例解用の例として与えられているだけであって、他の実装では異なる信号伝達が使われてもよいことを注意しておくべきである。
【０１０４】
図３におけるACTIVE（A）およびIDLE（I）状態の例では、IDLEからACTIVEに遷移するための信号伝達は、ランダム・アクセス手順（RACH手順）およびRRC接続セットアップ手順を含む。これに、ネットワークからのページングが先行してもよい。
【０１０５】
図３におけるACTIVE（A）およびECO（E）状態の例では、ECOからACTIVEに遷移するための信号伝達は、無競合の状態遷移を含む。たとえば、UEは競合なしにネットワークにUE専用のプリアンブルを送ってもよい。この例示的実施形態ではECO状態ではUEコンテキストがRANとともに維持されているので、RRC接続セットアップ手順を実行する必要はない。ECOからACTIVEへの状態遷移は、たとえばネットワークがページングおよび／または下りリンク・データ通知をUEに送ることの結果であってもよい。
【０１０６】
図３におけるECO（E）およびIDLE（I）状態の例では、IDLEからECOに遷移するための信号伝達は、RACH手順およびRRC接続セットアップ手順を含んでいてもよい。IDLE状態ではUEコンテキストはRANとともに維持されないことがあるからである。IDLEからECOへのこの遷移には、たとえばRANがUEにページング・メッセージを送ることが先行してもよい。
【０１０７】
図３の上記の例の三つすべてにおいて、AからI、AからEまたはEからIの遷移はたとえば、不活動タイマーの満了の結果であってもよく、あるいはネットワークによるUEへの明示的な指示（indication）に応答してであってもよい。
【０１０８】
図３におけるACTIVE、ECOおよびIDLE状態の例では、IDLEからECOまたはIDLEからActiveへの状態遷移のための信号伝達は、RACH手順およびRRC接続セットアップ手順を含みうる。さらに、いくつかの実施形態では、三つ以上の状態があるのでUEが遷移する次の状態を示すために、追加的な指示（indication）が提供されてもよい。同様に、ActiveからECOまたはActiveからIDLEへの状態遷移も、UEが遷移する次の状態を示すための追加的な信号伝達を含んでいてもよい。一般に、そのような追加的な信号伝達は、UEが三つ以上の可能な動作状態の間で遷移する場合に要求されうる。
【０１０９】
いくつかのUE（たとえば広い範囲のサービスをサポートできるスマートフォン）にとっては多数の動作状態をサポートすることが有利であることがあるが、いくつかのUE（たとえばマシン型通信（MTC:  machine  type  communication）のために構成された埋め込まれたセンサー装置）は、潜在的な動作状態すべての間での状態遷移をサポートする必要はないことがありうる。
【０１１０】
よって、潜在的な動作状態全部のうちの部分集合の間の状態遷移をサポートするだけでよいUEについては、潜在的な動作状態すべての間での遷移をサポートすることに関連しうる追加的な信号伝達オーバーヘッドを被ることを避けるようそうした装置を構成することが望ましいことがありうる。
【０１１１】
本開示のある実施形態は、無線ネットワークにおける複数のUE状態構成をサポートし、それによりUEのサポートされる動作状態が構成可能であることに関する。たとえば、ある実施形態では、ネットワークが、各UEについて、候補状態構成のプールのうちから状態構成を選択する。各候補状態構成は一つまたは複数のあらかじめ定義された動作状態のそれぞれの集合と関連付けられる。たとえば、ある候補状態構成はすべての潜在的な動作状態を含んでいてもよく、一方、第二の候補状態構成はすべての潜在的な動作状態のうちの何らかの部分集合を含むだけであってもよい。
【０１１２】
図４Ａは、本稿に記載される例示的実施形態に基づく、状態構成（state  configuration）の六つの例を示している。示される例は下記を含む：
・ACTIVE状態およびECO状態を含む第一の状態構成（Config  1）；
・ECO状態およびIDLE状態を含む第二の状態構成（Config  2）；
・ACTIVE状態および向上IDLE状態を含む第三の状態構成（Config  3）。ここで、向上IDLE状態はその中にIDLEおよびECOサブ状態を含み、両者の間の遷移経路が該向上IDLE状態内である；
・ACTIVE状態およびIDLE状態を含む第四の状態構成（Config  4）；
・IDLE状態および向上CONNECTED状態を含む第五の状態構成（Config  5）。ここで、向上CONNECTED状態はその中にACTIVEおよびECOサブ状態を含み、両者の間の遷移経路が該向上CONNECTED状態内である；
・ACTIVE状態、ECO状態およびIDLE状態を含む第六の状態構成（Config  6）。
【０１１３】
図４Ｂに示される向上IDLE状態では、UEはIDLEサブ状態とECOサブ状態の間で遷移することができる。しかしながら、いくつかの場合には、UEはECOサブ状態からIDLEサブ状態に遷移することができるが、ネットワークへの接続を再確立しようとするときにはACTIVE状態（図４Ｂには示さず）に遷移しなければならない。すなわち、いくつかの場合には、IDLEサブ状態からECOサブ状態への直接遷移は許されない。ECOサブ状態およびIDLEサブ状態が向上IDLE状態において明示的に定義される必要がなくてもよいことも注意しておくべきである。それらは、下記で説明するように、関連する手順がサポートされているおよび／または有効にされているかどうかのおかげで暗黙的に指定されてもよい。いくつかの実施形態では、ECOサブ状態は先述したECO状態と同じである。たとえば、いくつかの実施形態では、ECOサブ状態において動作している間、UEはRANとともにコンテキスト情報を維持してもよく、承認不要の上りリンク送信のために構成されてもよい。しかしながら、バッテリー電力をさらに節約するために、UEは、IDLEサブ状態である深いスリープにはいってもよい。別の実施形態では、UEはIDLEサブ状態にはいらなくてもよい。
【０１１４】
ECO状態／サブ状態において、UEは、2015年4月1日に出願された、「追跡チャネルのためのシステムおよび方法」と題する米国仮特許出願第62/141,483号および2016年1月28日に出願された、「追跡チャネルのためのシステムおよび方法」と題する米国特許出願第15/009,626号において提案されたもののような追跡チャネルを構成されてもよい。これらの出願はここに参照によりその全体において組み込まれる。追跡チャネルは、UE位置を定期的に追跡するためおよびUEの上りリンク・タイミング整列（timing  alignment）を維持するためにネットワークによって使用されることができる。UEは、2015年1月30日に出願された、「ECO状態におけるデータを受信するための無線デバイスのための装置および方法」と題する米国特許出願第14/609,707号において提案されたもののような単純化されたページングおよび下りリンク・データ通信を定期的にモニタリングすることができる。同出願はここに参照によりその全体において組み込まれる。そのようなメッセージはUEにユニキャストされてもよい。上りリンクおよび下りリンク上でライト接続管理を維持することは、UEがECO状態／サブ状態にある間に、短縮された遅延での小さなパケットのデータ交換を容易にしうる。たとえば、ライト接続管理は、チャネル／リンク品質の長期適応、MCSのあらかじめ選択された／ゆっくりした選択および低頻度でのUEフィードバックおよびUL参照信号送信またはそれらの部分集合および変形を含んでいてもよい。
【０１１５】
他方、いくつかの実施形態では、UEはさらに、追跡チャネル手順を無効にすることによって、エネルギー消費をさらに低減することができる。この場合、ネットワークはUEを能動的に追跡しない。UEが上りリンクで小さなパケットを送る必要がある場合、UEは追跡チャネル手順を再有効化してもよく、あるいはランダム・アクセス手順を使ってもよい。下りリンクでは、UEはネットワークからのページング・メッセージがあるかどうかを定期的にモニタリングするだけでよい。ページング・メッセージはたとえば、ページング・グループに属するすべてのUEへのマルチキャスト・メッセージであってもよい。いくつかの実施形態では、LTEと同様のページング手順が使われてもよい。
【０１１６】
IDLE状態／サブ状態におけるUEは、ネットワークとともにコンテキスト情報を維持することをしない。つまり、IDLE状態／サブ状態にあるUEは典型的には、データを送受信する前に異なる状態／サブ状態に遷移してネットワークとの接続（単数または複数）を再確立する必要があるので、データを送受信する際により多くの遅延を被る。いくつかの実施形態では、ECOサブ状態とIDLEサブ状態の間の遷移は明示的な状態遷移信号伝達なしである。たとえば、いくつかの実施形態では、追跡手順の無効化および有効化に関連する信号伝達のみが伝えられてもよい。
【０１１７】
いくつかの実施形態では、向上IDLE状態は、図４Ｄに示されるサービスおよび／またはUE型に基づいてネットワークによって構成されることができる。すなわち、すべてのUEがECOサブ状態に関連する手順をサポートする必要はない。図５Ｄの左の例示的なUE1のようないくつかのUE（たとえばレガシーUE、遅延に敏感なトラフィックをもたないUE、より多くのバッテリー節約を必要とするUE）は、向上IDLE状態においてIDLEサブ状態のみをサポートしてもよい。図５Ｄの右の例示的なUE2のような他のいくつかのUE（たとえば、遅延に敏感なトラフィックをもつUE、バッテリー電力に制約されないUE）は向上IDLE状態においてECOサブ状態とIDLEサブ状態の両方をサポートしてもよい。ECOサブ状態に関連する手順をサポートするUEについては、ACTIVE状態への高速な遷移（たとえば無競合の遷移）を許容するために、UEコンテキストはRANとともに維持される。ACTIVE状態と向上IDLE状態の間の状態遷移は、図３に示されるようなACTIVE状態とECO状態との間の遷移と同様であってもよい。ECOサブ状態に関連する手順をサポートしないまたはかかる手順が無効にされているUEについては、RANとのUEコンテキストは向上IDLE状態において解放される。これは、図３に示されるようにACTIVE状態とIDLE状態の間の遷移の間に起こるものと同様である。
【０１１８】
いくつかの実施形態では、図４Ｃに示される向上CONNECTED状態では、UEは、ACTIVEサブ状態とECOサブ状態の間で遷移できる。ECOサブ状態にあるUEは追跡手順を有効にしてもよく、上りリンク測量（sounding）手順を無効にしてもよい。いくつかの実施形態では、UEは、ECOサブ状態における承認不要の上りリンク送信のために構成されてもよく、その場合、UEは、上りリンク承認を求めて動的信号伝達資源割り当てをモニタリングすることをやめてもよい。いくつかの実施形態では、IDLE状態（図４Ｃには示さず）にあるUEは、向上CONNECTED状態のACTIVEサブ状態またはECOサブ状態のいずれかに遷移できてもよい。他の実施形態では、IDLE状態にあるUEは、たとえばデータを送るおよび／または受信するためにネットワークへの接続を再確立するためにACTIVEサブ状態に遷移できるだけであってもよい。すなわち、UEは、ECOサブ状態からIDLE状態に遷移できてもよいが、IDLE状態からECOサブ状態に直接遷移することは許されなくてもよい。
【０１１９】
図４Ａに示される六つの例示的な状態構成は単に例解用の例である。本開示のいくつかの実施形態では、他の候補状態構成において、ACTIVE、ECOおよびIDLE状態の他の並べ替えおよび組み合わせならびにその向上されたバージョンが使われてもよい。たとえば、さらなる状態構成は、図６に示される第六の状態構成と同様のACTIVE、ECO、IDLE状態を含んでいてもよいが、動作状態の間の一つまたは複数の遷移経路を省いているという点でそれとは異なっていてもよい。たとえば、IDLEからECOへの遷移経路が省かれてもよい。いくつかの実施形態では他の任意の遷移経路が省かれることがありうることが理解される。よって、状態構成（state  configuration）は一つまたは複数の動作状態の集合を定義するだけでなくてもよく、その構成要素となる動作状態の間の有効な遷移経路をも定義してもよいことを注意しておくべきである。しかしながら、状態構成におけるすべての動作状態が状態構成における他のすべての動作状態に遷移させられることができる場合には、有効な遷移経路が定義されなくてもよい。
【０１２０】
候補状態構成のそのようなプールを定義し、UEには該UEが要求する動作状態のみを含む候補状態構成を割り当てることによって、普通なら、該UEによって利用されない動作状態をサポートするために被られることになる追加的な信号伝達オーバーヘッド。よって、所与のUEについての状態構成の選択はUEに関連するUE型および／またはUEによってサポートされる一つまたは複数のサービスを含みうる種々のUE固有の要因に基づいていてもよい。よって、異なるUEは異なる状態構成をもちうる。
【０１２１】
上記のように、いくつかの実施形態では、所与のUEについての状態構成の選択が基づきうる要因の一つは、UEのカテゴリーまたは型である。たとえば、UEはいくつかの基準に従ってカテゴリー分けまたは型分けされうる。これらのカテゴリーまたは型は、たとえばマシン型通信（MTC）のために構成されたUEについての第一のカテゴリーまたは型を含んでいてもよい。該第一のカテゴリーまたは型は、二つの動作状態のみを含む状態構成（たとえばConfig  2および／またはConfig  1）に関連付け／マッピングされてもよい。第二のカテゴリーまたは型は、たとえばスマートフォンのようなより高機能の装置についてであってもよい。該第二のカテゴリーまたは型は、三つの動作状態を含む状態構成（たとえばConfig  6）に関連付け／マッピングされてもよい。第三のカテゴリーまたは型は、より早期の無線通信システム規格において定義されている動作状態との後方互換性のために定義されてもよい（たとえばConfig  4。Config  4ではACTIVEおよびIDLE状態がたとえばLTE/UMTSにおけるRRC状態に従って定義される）。UE型に関する情報は、たとえば初期のネットワーク・アクセス手順の一部としてネットワークと交換されてもよい。
【０１２２】
いくつかの実施形態では、所与のUEについての状態構成の選択が基づきうるもう一つの要因は、UEがサポートするサービスである。たとえば、向上モバイル・ブロードバンド（eMBB:  enhanced  mobile  broadband）サービスは、ACTIVE、ECOおよびIDLE状態を、それらの状態のそれぞれの間の遷移経路とともに含む状態構成（たとえばConfig  6）にマッピングされてもよい。よって、eMBBサービスがマッピングされる状態構成が、eMBBサービスをサポートするUEのために選択されてもよい。
【０１２３】
いくつかの場合には、UEは、動作状態の異なる並べ替えおよび組み合わせを含む異なる状態構成にマッピングされうるいくつかの異なるサービスをサポートしてもよい。よって、いくつかの場合には、複数のサービスをサポートするUEは、候補状態構成のプールから複数の状態構成を割り当てられてもよい。
【０１２４】
いくつかの場合には、ネットワークは、異なるサービス／トラフィック型の個別的な需要に合うよう速度、容量およびカバレッジが論理的なネットワーク「スライス」において割り当てられることができるような柔軟な仕方で構築されてもよい。たとえば、あるネットワーク・スライスは、通信サービスのための制御プレーンおよびユーザー・プレーンを扱う特定の仕方をもつ特定の接続型の通信サービスをサポートするよう構成されてもよい。この目的に向けて、ネットワーク・スライス（network  slice）は、特定の使用事例のために一緒に組み合わされるネットワーク機能および特定の無線アクセス技術（RAT:  radio  access  technology）設定の集まりで構成されてもよい。こうして、ネットワーク・スライスは、ネットワークのすべてのドメイン、すなわち：クラウド・ノードで走るソフトウェア・モジュール、機能の柔軟な位置をサポートする転送ネットワークの特定の構成、専用の無線構成またさらには特定のRATおよびUEの構成にまたがりうる。すべてのネットワーク・スライスが同じ機能を含むのではない。たとえば、ネットワーク・スライスは、特定の使用事例のために必要なトラフィック扱いのみを提供し、他のすべての不要な機能を避けるよう構成されてもよい。ネットワーク・スライスの一例として、ネットワーク・スライスは、物理層における周波数分割における時間‐周波数資源の一部を含むことができ、ネットワークにおける一つまたは複数のTRPのいくつかの資源（たとえばコンピューティングおよび処理パワー）がネットワーク・スライスに割り当てられる。ネットワーク・スライスのもう一つの例では、同じ時間‐周波数資源、一つまたは複数のTRPが、異なる時間において異なるスライスの間で共有されることができる。
【０１２５】
いくつかの実施形態では、UEによってサポートされる諸サービスは、異なるネットワーク・スライスを通じてサポートされてもよい。ネットワークの観点からは、あるネットワーク・スライスに属する特定のサービスをサポートするUEは、特定の状態構成に関連付けられてもよい。換言すれば、ネットワーク・スライスと状態構成との間にマッピングがあってもよい。
【０１２６】
図５Ａは、本稿に記載される例示的実施形態に基づく、ネットワーク・スライスと状態構成との間のマッピングの例を示している。図示した例は三つのネットワーク・スライスを含む。第一のネットワーク・スライスはeMBBサービスをサポートし、ACTIVE、ECOおよびIDLE状態を、それらの状態のそれぞれの間の遷移経路とともに含む状態構成（たとえばConfig  6）にマッピングされる。第二のネットワーク・スライスは、車両‐モノ（V2X:  vehicle-to-anything）通信のような超信頼性低遅延通信（URLLC:  ultra-reliable  low  latency  communication）をサポートし、小さなパケットの上りリンク（UL）での低遅延の承認不要の送信および大きなパケットについての下りリンク（DL）でのスケジュールされた送信のある常時オン接続性のために、ACTIVE状態およびECO状態を含む状態構成（たとえばConfig  1）にマッピングされる。第三のネットワーク・スライスは、埋め込みセンサー通信ような大規模マシン型通信（mMTC:  massive  machine  type  communication）をサポートし、エネルギー節約のためおよび承認不要の送信による小さなパケットの大規模接続をサポートするために、ECOおよびIDLE状態を含む状態構成（たとえばConfig  2）にマッピングされる。
【０１２７】
いくつかの実施形態では、複数のネットワーク・スライスをサポートするUE（たとえば、第一のネットワーク・スライスにおいて第一のサービスを、たとえば第二のネットワーク・スライスにおいて第二のサービスをサポートするUE）は、複数の状態構成をもって構成されてもよく、そのそれぞれの状態構成に従って所与のネットワーク・スライス内のサービスをサポートしてもよい。図５Ｂは、本稿に記載される例示的実施形態に基づく複数の状態構成をもって構成されたUEの例を示している。図示した例では、UEは、図５Ａに示した第一および第二のネットワーク・スライスに対応する二つのネットワーク・スライスにおけるサービスをサポートするよう構成されており、二つの対応する状態構成（たとえばConfig  6および1）をもって構成されている。
【０１２８】
しかしながら、いくつかの実施形態では、複数のネットワーク・スライスをサポートするUEが、該UEによってサポートされる複数のネットワーク・スライスに関連付けられたそれぞれの状態構成に関連付けられたあらかじめ定義された動作状態すべてを含む単一の状態構成をもって構成されてもよい。たとえば、図４および図５Ａを参照するに、第一のネットワーク・スライスにおけるeMBBサービスおよび第二のネットワーク・スライスにおける枢要（critical）MTCサービスをサポートするUEは、Config  6をもって構成されてもよい。Config  6は、第一および第二のネットワーク・スライスが関連付けられている状態構成の動作状態（および遷移経路）のすべてに対応しているからである。換言すれば、第一のネットワーク・スライスに関連付けられている状態構成、つまり{ACTIVE,ECO,IDLE}は第二のネットワーク・スライスに関連付けられている状態構成、つまり{ACTIVE,ECO}に関連付けられている動作状態のすべてを含むので、第一のネットワーク・スライスに関連付けられている状態構成が第二のネットワーク・スライスのために使われてもよい。
【０１２９】
いくつかの場合には、ネットワーク・スライスは周波数サブバンドにマッピングされてもよい。そのような場合、したがって、異なるサブバンド上に異なる状態構成が構成されてもよい。結果として、制御チャネルがしかるべく構成されてもよい（たとえば、モニタリングおよび送信の周期性。上りリンクでのフィードバック・レポートおよび追跡チャネル、下りリンクでのページングおよび下りリンク制御チャネルのモニタリング）。すなわち、UEは、あるサブバンドではECO状態に、別のサブバンドではACTIVE状態にあってもよい。
【０１３０】
UEによってサポートされるサービスに関する情報は、初期ネットワーク・アクセス手順の一部としておよび／またはUEによってサポートされる一つまたは複数のサービスに対する変更に関する情報をUEがネットワークに提供する、UEサポート・サービス変更手順の一部としてネットワークと交換されてもよい。よって、UEによってサポートされるサービスへの変更が、そのUEのための異なる状態構成の選択に帰結しうることを注意しておく。したがって、UEについての一つまたは複数の状態構成の選択は、静的になされてもよく、および／またはサポートされるサービス／トラフィック型に基づいて時間とともに変化してもよい（半静的）ことが理解される。
【０１３１】
図６Ａおよび６Ｂは、本稿に記載される例示的実施形態に基づく、UEとネットワーク装置との間の例示的なメッセージ交換図を示している。ネットワーク装置はたとえば、TRPまたはコントローラを含む。
【０１３２】
図６Ａは、静的な状態構成についてのUEとネットワーク装置との間のメッセージ交換図を示している。UEに関連付けられたUE型および／または該デバイスによってサポートされるサービスに関する情報が、UEエア・インターフェース（AI:  air  interface）機能交換手順の一部としてネットワークと交換される。UE  AI機能交換手順は、UEが最初にネットワークにアクセスしようとするときに生起してもよい。この手順は、より上位層（たとえばRRC）の手順である。この手順において、UEはそのUEエア・インターフェース機能情報を、UEエア・インターフェース機能問い合わせメッセージに応答してネットワークに送ってもよい。別の例では、UE  AI機能交換手順はUE機能交換手順の一部である。これに関し、AI機能情報は、UE機能交換手順のメッセージの一つまたは複数の情報要素（IE:  information  element）に含まれてもよい。ネットワーク装置は、本稿に記載される例示的実施形態に基づいてUEについての状態構成を選択し、選択された状態構成に関してUEに情報を送信する。たとえば、ネットワーク装置は、UE  AI機能交換手順の一部として受信された情報（たとえば、UEに関連付けられたUE型に関する情報および／またはUEによってサポートされる一つまたは複数のサービスに関する情報）に少なくとも部分的には基づいて、状態構成を選択してもよい。選択された状態構成に関する情報は、ブロードキャスト・メッセージにおいてブロードキャストされてもよく、マルチキャスト・メッセージにおいてマルチキャストされてもよく、あるいはユニキャスト・メッセージにおいて特定のUEにユニキャストされてもよい。
【０１３３】
図６Ｂは、半静的な状態構成のためのUEとネットワークとの間のメッセージ交換図を示している。UEによってサポートされる一つまたは複数のサービスに対する変更に関する情報が、UEサポート・サービス変更手順の一部としてネットワークと交換される。この手順は、UEがサービスの変更を含むメッセージをネットワークに送ることに関わってもよい。このメッセージは、新しいサービス型（たとえばeMBB、mMTC、URLLC）を含むことができる。UEによってサポートされる一つまたは複数のサービスに対する変更に関する情報を受信するのに応答して、ネットワーク装置は、UEによってサポートされる前記一つまたは複数のサービスへの変更に関する情報に少なくとも部分的に基づいて、前記複数の候補状態構成のうちから置換状態構成を選択する。ネットワーク装置は次いで、選択された置換状態構成に関してUEに情報を送信する。いくつかの場合には、UEによってサポートされる一つまたは複数のサービスに対する変更は、UEのために選択される状態構成（単数または複数）への変更を必要としないことがある。よって、いくつかの場合には、選択される置換状態構成は、UEについての以前に選択された置換状態構成と同じであることがある。選択された状態構成に関する情報は、ブロードキャスト・メッセージにおいてブロードキャストされてもよく、マルチキャスト・メッセージにおいてマルチキャストされてもよく、あるいはユニキャスト・メッセージにおいて特定のUEにユニキャストされてもよい。
【０１３４】
もう一つの実施形態では、UE状態構成の、サービスおよび／またはUE型へのあらかじめ定義されたマッピングがある場合、UE状態構成は、明示的な信号伝達なしに暗黙的に示されてもよい。たとえば、UEに関連付けられたUE型および／または当該装置によってサポートされるサービスに関する情報がUEエア・インターフェース（AI）機能交換手順の一部としてネットワークと交換された後、UE状態構成は、前記あらかじめ定義されたマッピングに基づいてUEによって決定されてもよい。もう一つの例では、UEによってサポートされる一つまたは複数のサービスに対する変更に関する情報がUEサポート・サービス変更手順の一部としてネットワークと交換された後、UE状態構成は、前記あらかじめ定義されたマッピングに基づいてUEによって決定されてもよい。
【０１３５】
図７は、本稿に記載される例示的実施形態に基づくネットワーク装置における例示的な動作７００の流れ図を示している。動作７００は、eNB、ピクセルなどのようなネットワーク装置において生起する動作を示していてもよい。
【０１３６】
動作７００は、UEがネットワークと初期入場を実行することをもって始まってもよい（ブロック７０５）。UEはスマートフォン、センサー、パーソナル・コンピュータ、タブレットなどであってもよい。先に論じたように、ネットワーク装置が、複数の候補状態構成のうちからUEについての状態構成を選択してもよい（ブロック７１０）。各候補状態構成は複数のあらかじめ定義された動作状態のうちからの一つまたは複数のあらかじめ定義された動作状態のそれぞれの集合と関連付けられていてもよい。ネットワーク装置は、選択された状態構成に関して情報をUEに送信してもよい（ブロック７１５）。
【０１３７】
例示的動作７００は例示的実施形態を示している。他の実施形態では、同様のまたは異なる動作が同様のまたは異なる順序で実行されることができ、および／またはある種の動作が省かれてもよい。例解される動作を実行するためのさまざまな仕方および実行されうる他の動作の例が本稿に記述される。さらなる変形が明白でありうるまたは明白になりうる。
【０１３８】
たとえば、いくつかの実施形態では、ブロック７１０において状態構成を選択することは、UEに関連付けられたUE型および／またはUEによってサポートされる一つまたは複数のサービスに少なくとも部分的には基づいて状態構成を選択することを含む。たとえば、ブロック７０５における初期入場の一部としてまたはその後の何らかの時点において、UEはUEに関連付けられたUE型および／またはUEによってサポートされる一つまたは複数のサービスに関する情報をネットワークに提供してもよく、その情報をネットワーク装置はブロック７１０において状態構成を選択するために使用してもよい。
【０１３９】
いくつかの実施形態では、UEによってサポートされる一つまたは複数のサービスへの変更に関する情報が、UEサポート・サービス変更手順の一部として受信されてもよい。そのような情報を受信することに応答して、ネットワーク装置は置換状態構成を選択し、選択された置換状態構成に関する情報をUEに送信してもよい。これは図６Ｂを参照して先に論じた。
【０１４０】
いくつかの実施形態では、ブロック７１５で状態構成を選択することは、UEによってサポートされる第一のサービスに少なくとも部分的には基づいて第一の状態構成を選択し、UEによってサポートされる第二のサービスに少なくとも部分的には基づいて第二の状態構成を選択することを含む。同様に、ブロック７１５において、選択された状態構成に関する情報をUEに送信することは、選択された第一および第二の状態構成に関する情報を送信することを含んでいてもよい。そのような場合、動作７００はさらに、前記第一の状態構成に基づいて第一のネットワーク・スライスにおいて前記第一のサービスを提供し、前記第二の状態構成に基づいて第二のネットワーク・スライスにおいて前記第二のサービスを提供することを含んでいてもよい。
【０１４１】
いくつかの実施形態では、前記複数のネットワーク・スライスのそれぞれは、それぞれの状態構成に関連付けられていてもよく、ブロック７１０において状態構成を選択することは、UEによってサポートされる複数のネットワーク・スライスのための状態構成を選択することに関わってもよく、選択された状態構成は、UEによってサポートされる前記複数のネットワーク・スライスに関連付けられたそれぞれの状態構成に関連付けられたあらかじめ定義された動作状態のすべてを含む。そのような実施形態では、動作７００はさらに、選択された状態構成に基づいて、UEによってサポートされる前記複数のネットワーク・スライスにおいてUEにサービスを提供することを含んでいてもよい。
【０１４２】
図８は、本稿に記載される例示的実施形態に基づくUEにおける例示的な動作８００の流れ図を示している。動作８００は、スマートフォン、センサー、パーソナル・コンピュータ、タブレットなどのようなUEにおける動作を示していてもよい。
【０１４３】
動作８００は、UEが無線ネットワークとの初期入場を実行することをもって始まってもよい（ブロック８０５）。たとえば、UEはeNB、ピコセルなどのようなネットワーク装置への初期入場を実行してもよい。先に論じたように、UEは無線ネットワークから、複数の候補状態構成のうちからの前記UEのために選択された状態構成に関する情報を受信してもよい（ブロック８１０）。各候補状態構成は複数のあらかじめ定義された動作状態のうちからの一つまたは複数のあらかじめ定義された動作状態のそれぞれの集合と関連付けられていてもよい。UEは、選択された状態構成に従って前記無線ネットワークと通信してもよい（ブロック８１５）。たとえば、UEは、選択された状態構成（state  configuration）に関する情報を、UE内の状態機械（state  machine）を構成するために使ってもよい。
【０１４４】
例示的動作８００は例示的実施形態を示している。他の実施形態では、同様のまたは異なる動作が同様のまたは異なる順序で実行されることができ、および／またはある種の動作が省かれてもよい。例解される動作を実行するためのさまざまな仕方および実行されうる他の動作の例が本稿に記述される。さらなる変形が明白でありうるまたは明白になりうる。
【０１４５】
たとえば、いくつかの実施形態では、ブロック８０５における初期入場手順は、UEに関連付けられたUE型および／またはUEによってサポートされる一つまたは複数のサービスに関して情報を無線ネットワークに送信することに関わるUEエア・インターフェース機能交換手順に関わる。
【０１４６】
いくつかの実施形態では、動作８００はさらに、UEサポート・サービス変更手順の一部として、UEによってサポートされる前記一つまたは複数のサービスに対する変更に関する情報を送信し、その後、UEによってサポートされる前記一つまたは複数のサービスへの変更に関する情報に少なくとも部分的には基づく、前記UEのために選択された置換状態構成に関する情報を受信することをさらに含んでいてもよい。UEは次いで、選択された置換状態構成に従って前記無線ネットワークと通信してもよい。
【０１４７】
いくつかの実施形態では、UEは、少なくとも第一のサービスおよび第二のサービスを含む複数のサービスをサポートしてもよい。そのような実施形態では、ブロック８１０においてUEのために選択された状態構成に関する情報を受信することは、UEによってサポートされる第一のサービスに少なくとも部分的には基づいて選択された第一の状態構成を受信し、UEによってサポートされる第二のサービスに少なくとも部分的には基づいて前記複数の候補状態構成のうちから選択された第二の状態構成を受信することを含んでいてもよい。その際、ブロック８１５で、選択された状態構成に従って前記無線ネットワークと通信することは、前記第一の選択された状態構成に従って前記第一のサービスに関して前記無線ネットワークと通信し、前記第二の選択された状態構成に従って前記第二のサービスに関して前記無線ネットワークと通信することを含んでいてもよい。
【０１４８】
いくつかの実施形態では、前記第一および第二のサービスは、それぞれ第一および第二のネットワーク・スライスによってサポートされてもよい。よって、いくつかの実施形態では、前記第一および第二の選択された状態構成に従って前記第一および第二のサービスに関して前記無線ネットワークと通信することは、前記第一および第二の選択された状態構成に従って前記無線ネットワークの第一および第二のネットワーク・スライスと通信することを含んでいてもよい。
【０１４９】
いくつかの実施形態では、前記第一および第二のネットワーク・スライスは第一および第二の時間‐周波数資源（たとえばサブバンド）に割り当てられてもよい。よって、いくつかの実施形態では、第一および第二の選択された状態構成に従って無線ネットワークと通信することは、第一および第二の時間‐周波数資源を用いて通信することを含んでいてもよい。
【０１５０】
図９は、本稿に記載される例示的実施形態に基づくUEにおける例示的な動作９００の流れ図を示している。動作９００は、スマートフォン、センサー、パーソナル・コンピュータ、タブレットなどのようなUEにおける動作を示していてもよい。
【０１５１】
動作９００は、UEがネットワークと初期入場を実行することをもって始まってもよい（ブロック９０５）。たとえば、UEはeNB、ピコセルなどのようなネットワーク装置に初期入場を実行してもよい。先に論じたように、UEは、複数の候補状態構成のうちから状態構成を選択してもよい（ブロック９１０）。各候補状態構成はそれぞれの一つまたは複数のあらかじめ定義された動作状態と関連付けられていてもよい。UEは、選択された状態構成に従って無線ネットワークと通信してもよい（ブロック９１５）。たとえば、UEは、選択された状態構成に関する情報を、UEにおける状態機械を構成するために使ってもよい。
【０１５２】
例示的動作９００は例示的実施形態を示している。他の実施形態では、同様のまたは異なる動作が同様のまたは異なる順序で実行されることができ、および／またはある種の動作が省かれてもよい。例解される動作を実行するためのさまざまな仕方および実行されうる他の動作の例が本稿に記述される。さらなる変形が明白でありうるまたは明白になりうる。
【０１５３】
図１０は、本稿に記載される例示的実施形態に基づく例示的な通信装置１０００のブロック図を示している。通信装置１０００は、eNB、ピコセルなどのようなネットワーク装置の実装であってもよい。通信装置１０００は、本稿で論じられる実施形態のさまざまなものを実装するために使われてもよい。
【０１５４】
図１０に示されるように、通信装置１０００は無線インターフェース１００５を含む。無線インターフェース１００５は、メッセージなどを送るよう構成された送信器１０３０と、メッセージなどを受信するよう構成された受信器１０３５とを含む。
【０１５５】
UE情報処理ユニット１０２０は、UEに関連付けられたUE型に関する情報および／またはUEによってサポートされる一つまたは複数のサービスに関する情報を、無線インターフェース１００５を介して受信するよう構成される。たとえば、UE情報処理ユニット１０２０は、図６Ａに示されるUEエア・インターフェース機能交換手順に従ってネットワーク装置のアクションを実行するよう構成されてもよい。UE情報処理ユニット１０２０はたとえば、マイクロプロセッサ、マイクロコントローラ、デジタル信号プロセッサ、フィールドプログラマブルゲートアレイまたは特定用途向け集積回路を含むことができる。
【０１５６】
状態構成選択ユニット１０２５は、本稿で記載されるように、UEのために、複数の候補状態構成のうちから状態構成を選択するよう構成される。各候補状態構成は複数のあらかじめ定義された動作状態のうちからの一つまたは複数のあらかじめ定義された動作状態のそれぞれの集合に関連付けられていてもよい。状態構成選択ユニット１０２５はさらに、無線インターフェース１００５を介して、選択された状態構成に関して情報をUEに送信するよう構成される。状態構成選択ユニット１０２５はたとえば、マイクロプロセッサ、マイクロコントローラ、デジタル信号プロセッサ、フィールドプログラマブルゲートアレイまたは特定用途向け集積回路を含むことができる。
【０１５７】
いくつかの実施形態では、状態構成選択ユニット１０２５は、UEに関連付けられたUE型および／またはUEによってサポートされる一つまたは複数のサービスに関する、UE情報処理ユニット１０２０によって受信された情報に少なくとも部分的には基づいて、状態構成を選択するよう構成される。
【０１５８】
いくつかの実施形態では、UE情報処理ユニット１０２０はさらに、無線インターフェース１００５を介して、UEによってサポートされる前記一つまたは複数のサービスへの変更に関する情報をUEから受信するよう構成されていてもよい。この情報は、たとえばUEサポート・サービス変更手順の一部として受信されてもよい。状態構成選択ユニット１０２５はさらに、UE情報処理ユニット１０２０がかかる情報を受信したことに応答して、UEのための置換状態構成を選択するよう構成されていてもよい。状態構成選択ユニット１０２５はさらに、無線インターフェース１００５を介して、選択された置換状態構成に関する情報をUEに送信するよう構成されていてもよい。これは図６Ｂを参照して先に論じた。
【０１５９】
いくつかの実施形態では、状態構成選択ユニット１０２５は、UEによってサポートされる第一のサービスに少なくとも部分的には基づいて第一の状態構成を選択し、UEによってサポートされる第二のサービスに少なくとも部分的には基づいて第二の状態構成を選択するよう構成される。同様に、状態構成選択ユニット１０２５はさらに、選択された第一および第二の状態構成に関する情報を無線インターフェース１００５を介してUEに送信するよう構成されてもよい。そのような実施形態では、ネットワーク装置１０００は、前記第一の状態構成に基づいて第一のネットワーク・スライスにおいて前記第一のサービスを提供し、前記第二の状態構成に基づいて第二のネットワーク・スライスにおいて前記第二のサービスを提供するよう構成されてもよい。
【０１６０】
いくつかの実施形態では、複数のネットワーク・スライスのそれぞれはそれぞれの状態構成に関連付けられていてもよく、状態構成選択ユニット１０２５は、UEによってサポートされる複数のネットワーク・スライスのための状態構成を選択するよう構成されてもよい。ここで、選択された状態構成は、UEによってサポートされる前記複数のネットワーク・スライスに関連付けられたそれぞれの状態構成に関連付けられたあらかじめ定義された動作状態のすべてを含む。そのような実施形態では、ネットワーク装置１０００は、選択された状態構成に従って、UEによってサポートされる前記複数のネットワーク・スライスにおいて、UEにサービスを提供するよう構成されてもよい。
【０１６１】
メモリ１０１５は、あらかじめ定義された動作状態、候補状態構成、選択された状態構成、UE型、サポートされるサービス、検出された信号、復号された信号などに関する情報を記憶するよう構成される。
【０１６２】
通信装置１０００の要素は、具体的なハードウェア論理ブロックとして実装されてもよい。ある代替では、通信装置１０００の要素は、プロセッサ、コントローラ、特定用途向け集積回路などにおいて実行されるソフトウェアとして実装されてもよい。さらにもう一つの代替では、通信装置１０００の要素はソフトウェアおよび／またはハードウェアの組み合わせとして実装されてもよい。
【０１６３】
例として、送信器１０３０および受信器１０３５は、具体的なハードウェア・ブロックとして実装されてもよく、一方、UE情報処理ユニット１０２０および状態構成選択ユニット１０２５は、マイクロプロセッサ、デジタル信号プロセッサ、カスタム回路またはフィールドプログラマブル論理アレイのカスタム・コンパイルド論理アレイといったプロセッサ１０１０において実行されるソフトウェア・モジュールであってもよい。UE情報処理ユニット１０２０および状態構成選択ユニット１０２５はメモリ１０１５に記憶されたモジュールであってもよい。
【０１６４】
図１１は、本稿に記載される例示的実施形態に基づく例示的な通信装置１１００のブロック図を示している。通信装置１１００は、スマートフォン、センサー、PC、タブレットなどといったUEの実装であってもよい。通信装置１１００は、本稿で論じられる実施形態のさまざまなものを実装するために使われてもよい。
【０１６５】
図１１に示されるように、通信装置１１００は、無線インターフェース１１０５を含む。無線インターフェース１１０５は、メッセージなどを送るよう構成された送信器１１３０と、メッセージなどを受信するよう構成された受信器１１３５とを含む。
【０１６６】
UE情報通知ユニット１１２０は、UEに関連付けられたUE型に関する情報および／またはUEによってサポートされる一つまたは複数のサービスに関する情報を、無線インターフェース１１０５を介して送信するよう構成される。たとえば、UE情報通知ユニット１１２０は、図６Ａに示されるUEエア・インターフェース機能交換手順に従ってUEのアクションを実行するよう構成されてもよい。UE情報通知ユニット１１２０はたとえば、マイクロプロセッサ、マイクロコントローラ、デジタル信号プロセッサ、フィールドプログラマブルゲートアレイまたは特定用途向け集積回路を含むことができる。
【０１６７】
状態構成制御ユニット１１２５が、無線インターフェース１１０５を介して、本稿に記載されるように複数の候補状態構成のうちから当該UEのために選択された状態構成に関する情報を受信するよう構成される。各候補状態構成は複数のあらかじめ定義された動作状態のうちからの一つまたは複数のあらかじめ定義された動作状態のそれぞれの集合に関連付けられていてもよい。状態構成制御ユニット１１２５はさらに、選択された状態構成に基づく無線インターフェース１１０５を介した通信を容易にするようUE  １１００を制御するよう構成される。たとえば、状態構成制御ユニット１１２５は、選択された状態構成に関する情報を、状態機械を構成するために使ってもよい。状態構成制御ユニット１１２５はたとえば、マイクロプロセッサ、マイクロコントローラ、デジタル信号プロセッサ、フィールドプログラマブルゲートアレイまたは特定用途向け集積回路を含むことができる。
【０１６８】
いくつかの実施形態では、UE情報通知ユニット１１２０はさらに、無線インターフェース１１０５を介して、当該UEによってサポートされる一つまたは複数のサービスへの変更に関する情報を送信するよう構成される。たとえば、UE情報通知ユニット１１２０は、図６Ｂに示されるUEサポート・サービス変更手順に従ってUEのアクションを実行するよう構成されてもよい。そのような実施形態では、状態構成制御ユニット１１２５はさらに、無線インターフェース１１０５を介して、当該UEによってサポートされる前記一つまたは複数のサービスへの変更に関する情報に少なくとも部分的には基づいて、当該UEのために選択された置換状態構成に関する情報を受信するよう構成されてもよい。状態構成制御ユニット１１２５は次いで、選択された置換状態構成に基づく無線インターフェース１１０５を介した通信を容易にするようUE  １１００を制御してもよい。
【０１６９】
いくつかの実施形態では、UE  １１００は、少なくとも第一のサービスおよび第二のサービスを含む複数のサービスをサポートしてもよい。そのような実施形態では、状態構成制御ユニット１１２５は、前記第一および第二のサービスに関する第一および第二の状態構成を受信し、第一および第二の選択された状態構成に従って第一および第二のサービスに関する無線インターフェース１１０５を介した通信を容易にするようUEを制御するよう構成されてもよい。
【０１７０】
いくつかの実施形態では、第一および第二のサービスはそれぞれ第一および第二のネットワーク・スライスによってサポートされてもよい。よって、いくつかの実施形態では、状態構成制御ユニット１１２５は、第一および第二の選択された状態構成に従って第一および第二のネットワーク・スライスを通じた無線インターフェース１１０５を介した通信を容易にするようUEを制御するよう構成されてもよい。
【０１７１】
メモリ１１１５は、あらかじめ定義された動作状態、候補状態構成、選択された状態構成、当該装置のUE型、サポートされるサービス、検出された信号、復号された信号などに関する情報を記憶するよう構成される。
【０１７２】
通信装置１１００の要素は、具体的なハードウェア論理ブロックとして実装されてもよい。ある代替では、通信装置１１００の要素は、プロセッサ、コントローラ、特定用途向け集積回路などにおいて実行されるソフトウェアとして実装されてもよい。さらにもう一つの代替では、通信装置１１００の要素はソフトウェアおよび／またはハードウェアの組み合わせとして実装されてもよい。
【０１７３】
例として、送信器１１３０および受信器１１３５は、具体的なハードウェア・ブロックとして実装されてもよく、一方、UE情報通知ユニット１１２０および状態構成制御ユニット１１２５は、マイクロプロセッサ、デジタル信号プロセッサ、カスタム回路またはフィールドプログラマブル論理アレイのカスタム・コンパイルド論理アレイといったプロセッサ１１１０において実行されるソフトウェア・モジュールであってもよい。UE情報通知ユニット１１２０および状態構成制御ユニット１１２５はメモリ１１１５に記憶されたモジュールであってもよい。
【０１７４】
図１２および図１３は、本開示に基づく方法および教示を実装しうる例示的な装置を示している。特に、図１２は例示的なUE  １２００を示し、図１３は例示的なネットワーク装置１３００を示している。これらのコンポーネントは、図１に示されるシステム１００においてまたは他の任意の好適なシステムにおいて使用されることができる。
【０１７５】
図１２に示されるように、UE  １２００は、少なくとも一つの処理ユニット１２１０を含む。処理ユニット１２１０はUE  １２００のさまざまな処理動作を実装する。たとえば、処理ユニット１２１０は、本稿に記載される実施形態に従ってUE機能および／または動作を実行するよう構成される。さらに、処理ユニット１２１０は、信号符号化、データ処理、電力制御、入出力処理またはシステム１００においてUE  １２００が動作できるようにする他の任意の機能を実行するよう構成されてもよい。各処理ユニット１２１０は、UE機能／動作の一つまたは複数を実行するよう構成された任意の好適な処理もしくはコンピューティング装置を含む。各処理ユニット１２１０はたとえば、マイクロプロセッサ、マイクロコントローラ、デジタル信号プロセッサ、フィールドプログラマブルゲートアレイまたは特定用途向け集積回路を含むことができる。
【０１７６】
UE  １２００は少なくとも一つのトランシーバ１２１２をも含む。トランシーバ１２１２は、少なくとも一つのアンテナまたはNIC（Network  Interface  Controller［ネットワーク・インターフェース・コントローラ］）１２１４による送信のためにデータまたは他のコンテンツを変調するよう構成される。トランシーバ１２１２は、前記少なくとも一つのアンテナ１２１４によって受信されたデータまたは他のコンテンツを復調するようにも構成される。各トランシーバ１２１２は、無線または有線の送信のための信号を生成するためおよび／または無線または有線で受信された信号を処理するための任意の好適な構造を含む。各アンテナ１２１４は、無線または有線の信号を送信および／または受信するための任意の好適な構造を含む。一つまたは複数のトランシーバ１２１２がUE  １２００において使用されることができ、一つまたは複数のアンテナ１２１４がUE  １２００において使用されることができる。単一の機能ユニットとして示されているが、トランシーバ１２１２は、少なくとも一つの送信器および少なくとも一つの別個の受信器を使って実装されることもできる。
【０１７７】
UE  １２００はさらに、一つまたは複数の入出力装置１２１６またはインターフェース（たとえばインターネット１５０への有線インターフェース）を含む。入出力装置１２１６は、ネットワークにおけるユーザーまたは他の装置との対話（ネットワーク通信）を容易にする。各入出力装置１２１６は、ネットワーク・インターフェース通信を含め、ユーザーに情報を提供するためまたはユーザーから情報を受領／提供するための任意の好適な構造、たとえばスピーカー、マイクロフォン、キーパッド、キーボード、ディスプレイまたはタッチスクリーンを含む。
【０１７８】
さらに、UE  １２００は少なくとも一つのメモリ１２１８を含む。メモリ１２１８は、UE  １２００によって使用される、生成されるまたは収集される命令およびデータを記憶する。たとえば、メモリ１２１８は、処理ユニット１２１０によって実行されたときに処理ユニット１２１０に本稿に記載される実施形態に基づくUE機能および／または動作を実行させるソフトウェアまたはファームウェア命令を記憶することができる。各メモリ１２１８は、任意の好適な揮発性および／または不揮発性記憶および取り出し装置を含む。任意の好適な型のメモリが使用されてもよく、たとえば、ランダムアクセスメモリ（RAM）、読み出し専用メモリ（ROM）、ハードディスク、光ディスク、加入者識別情報モジュール（SIM）カード、メモリースティック、セキュアデジタル（SD）メモリカードなどである。他の実装では、処理ユニット１２１０およびメモリ１２１８は、本稿に記載される実施形態に基づくUE機能および／または動作を実行するよう構成されている回路をなす。
【０１７９】
図１３に示されるように、ネットワーク装置１３００は、少なくとも一つの処理ユニット１３１０、送信器および受信器のための機能を含む少なくとも一つのトランシーバ１３１２、一つまたは複数のアンテナ１３１４、少なくとも一つのメモリ１３１８および一つまたは複数の入出力装置またはインターフェース１３１６を含む。処理ユニット１３１０は、本稿に記載される実施形態に従ってネットワーク装置機能および／または動作を実行するよう構成される。さらに、処理ユニット１３１０は、ネットワーク装置１３００のさまざまな他の処理動作、たとえば信号符号化、データ処理、電力制御、入出力処理またはUE  １２００にネットワーク・アクセスを提供するもしくはシステム１００においてUE  １２００を動作できるようにするために必要な他の任意の機能を実行するよう構成されてもよい。各処理ユニット１３１０は、一つまたは複数の動作を実行するよう構成された任意の好適な処理もしくはコンピューティング装置を含む。各処理ユニット１３１０はたとえば、マイクロプロセッサ、マイクロコントローラ、デジタル信号プロセッサ、フィールドプログラマブルゲートアレイまたは特定用途向け集積回路を含むことができる。
【０１８０】
各トランシーバ１３１２は、一つまたは複数のUEまたは他の装置への無線または有線の送信のための信号を生成するための任意の好適な構造を含む。各トランシーバ１３１２はさらに、一つまたは複数のUEまたは他の装置から無線または有線で受信された信号を処理するための任意の好適な構造を含む。トランシーバ１３１２として組み合わされて示されているが、送信器および受信器は別個のコンポーネントであることができる。各アンテナ１３１４は、無線または有線の信号を送信および／または受信するための任意の好適な構造を含む。ここでは共通のアンテナ１３１４がトランシーバ１３１２に結合されるものとして示されているが、一つまたは複数のアンテナ１３１４がトランシーバ１３１２に結合されて、別個のコンポーネントとして装備された場合の送信器および受信器に別個のアンテナ１３１４が結合されることができるようにすることができる。各メモリ１３１８は、任意の好適な揮発性および／または不揮発性記憶および取り出し装置を含む。各入出力装置１３１６は、ネットワークにおけるユーザーまたは他の装置との対話（ネットワーク通信）を容易にする。各入出力装置１３１６は、ネットワーク・インターフェース通信を含め、ユーザーに情報を提供するためまたはユーザーからの情報を受信／提供するための任意の好適な構造を含む。
【実施例】
【０１８１】
下記は、本開示の実施例の限定しないリストを与える。
【０１８２】
〔実施例１〕
無線ネットワークにおいて複数のユーザー装置（UE）状態構成をサポートするための方法であって、当該方法は：
UEによって、複数の候補状態構成のうちから状態構成を選択する段階であって、各候補状態構成は一つまたは複数のあらかじめ定義された動作状態のそれぞれの集合と関連付けられている、段階と；
前記UEによって、選択された状態構成に従って前記無線ネットワークと通信する段階とを含む、
方法。
【０１８３】
〔実施例２〕
前記UEによって選択される状態構成は、前記複数の候補状態構成のうちから、前記UEに関連付けられたUE型と、前記UEによってサポートされる一つまたは複数のサービスとのうちの少なくとも一方に少なくとも部分的には基づいて前記UEによって選択される、
ことをさらに含む、実施例１記載の方法。
【０１８４】
〔実施例３〕
前記UEによって、前記UEによってサポートされる前記一つまたは複数のサービスへの変更に少なくとも部分的には基づいて、前記複数の候補状態構成のうちから置換状態構成を選択する段階と；
前記UEによって、選択された置換状態構成に従って前記無線ネットワークと通信する段階とをさらに含む、
実施例２記載の方法。
【０１８５】
〔実施例４〕
前記UEは少なくとも第一のサービスおよび第二のサービスを含む複数のサービスをサポートし；
前記UEによって、前記複数の候補状態構成のうちから状態構成を選択することが：
前記UEによって、前記UEによってサポートされる前記第一のサービスに少なくとも部分的には基づいて前記複数の候補状態構成のうちから選択される第一の状態構成を選択し；
前記UEによって、前記UEによってサポートされる前記第二のサービスに少なくとも部分的には基づいて前記複数の候補状態構成のうちから選択される第二の状態構成を選択することを含み、
前記UEによって、前記選択された状態構成に従って前記無線ネットワークと通信することが：
前記UEによって、前記第一の選択された状態構成に従って前記第一のサービスに関して前記無線ネットワークと通信し；
前記UEによって、前記第二の選択された状態構成に従って前記第二のサービスに関して前記無線ネットワークと通信することを含む、
実施例１ないし３のうちいずれか一項記載の方法。
【０１８６】
〔実施例５〕
前記第一の選択された状態構成に従って前記第一のサービスに関して前記無線ネットワークと通信することは、前記第一の選択された状態構成に従って前記無線ネットワークの第一のネットワーク・スライスと通信することを含み；
前記第二の選択された状態構成に従って前記第二のサービスに関して前記無線ネットワークと通信することは、前記第二の選択された状態構成に従って前記無線ネットワークの第二のネットワーク・スライスを用いて通信することを含む、
実施例１ないし４のうちいずれか一項記載の方法。
【０１８７】
〔実施例６〕
前記選択された状態構成は少なくとも：
無線アクセス・ネットワーク（RAN）とのUEコンテキストが前記UEによって維持される第一のエネルギー節約動作状態；および
前記RANとのUEコンテキストが前記UEによって維持されない第二のエネルギー節約動作状態を含む、
実施例１ないし５のうちいずれか一項記載の方法。
【０１８８】
〔実施例７〕
前記選択された状態構成に従って前記無線ネットワークと通信することは、前記第一のエネルギー節約動作状態において動作しているときに上りリンクおよび下りリンクの少なくとも一方で前記RANとのライト接続管理を維持することを含む、実施例１ないし６のうちいずれか一項記載の方法。
【０１８９】
〔実施例８〕
上りリンクおよび下りリンクの少なくとも一方で前記RANとのライト接続管理を維持することが、前記第一のエネルギー節約動作状態で動作しているときに上りリンクおよび下りリンクでライト接続管理を維持することを含む、実施例１ないし７のうちいずれか一項記載の方法。
【０１９０】
〔実施例９〕
前記選択された状態構成に従って前記無線ネットワークと通信することは、前記第一のエネルギー節約動作状態において承認不要の（grant-free）上りリンク送信のために前記UEを構成することを含む、実施例１ないし７のうちいずれか一項記載の方法。
【０１９１】
〔実施例１０〕
前記選択された状態構成に従って前記無線ネットワークと通信することは、前記UEの定期的な位置追跡を容易にするために、前記第一のエネルギー節約動作状態において追跡チャネルを前記UEに構成することを含む、実施例１ないし６のうちいずれか一項記載の方法。
【０１９２】
〔実施例１１〕
前記選択された状態構成がアクティブな動作状態をさらに含み、該アクティブな動作状態では、前記UEは上りリンクおよび下りリンクで前記RANとのアクティブな接続管理を実行する、実施例１ないし６のうちいずれか一項記載の方法。
【０１９３】
〔実施例１２〕
前記選択された状態構成は、前記第二のエネルギー節約動作状態から前記アクティブな動作状態への状態遷移経路を含むが、前記第二のエネルギー節約動作状態から前記第一のエネルギー節約動作状態への状態遷移経路は含まない、実施例１ないし１１のうちいずれか一項記載の方法。
【０１９４】
〔実施例１３〕
前記第一のエネルギー節約動作状態と前記アクティブな動作状態との間の遷移が無競合（contention-free）である、実施例１ないし１１のうちいずれか一項記載の方法。
【０１９５】
〔実施例１４〕
前記選択された状態構成が向上CONNECTED動作状態をさらに含み；
前記アクティブな動作状態および前記第一のエネルギー節約動作状態は前記向上CONNECTED動作状態のサブ状態である、
実施例１ないし１１のうちいずれか一項記載の方法。
【０１９６】
〔実施例１５〕
前記向上CONNECTED動作状態のサブ状態の間の遷移は、前記無線ネットワークへの明示的な状態遷移信号伝達なしに行なわれる、実施例１ないし１４のうちいずれか一項記載の方法。
【０１９７】
〔実施例１６〕
前記選択された状態構成が向上IDLE動作状態をさらに含み；
前記第一のエネルギー節約動作状態および前記第二のエネルギー節約動作状態は前記向上IDLE動作状態のサブ状態である、
実施例１ないし１１のうちいずれか一項記載の方法。
【０１９８】
〔実施例１７〕
前記向上IDLE動作状態のサブ状態の間の遷移は、前記無線ネットワークへの明示的な状態遷移信号伝達なしに行なわれる、実施例１ないし１６のうちいずれか一項記載の方法。
【０１９９】
〔実施例１８〕
前記向上IDLE動作状態において、前記UEは、前記UEによってサポートされるサービスおよび／または前記UEに関連付けられたUE型に基づいて、前記向上IDLE動作状態のサブ状態の一つで動作するよう構成される、実施例１ないし１６のうちいずれか一項記載の方法。
【０２００】
〔実施例１９〕
無線インターフェースと；
前記無線インターフェースに動作上結合されたプロセッサと；
前記プロセッサによる実行のためのプログラミングを記憶している、前記プロセッサに動作上結合されたコンピュータ可読記憶媒体とを有するユーザー装置（UE）であって、前記プログラミングは：
複数の候補状態構成のうちから状態構成を選択する段階であって、各候補状態構成は一つまたは複数のあらかじめ定義された動作状態のそれぞれの集合と関連付けられている、段階と；
前記無線インターフェースを介して、選択された状態構成に従って無線ネットワークと通信する段階とを実行するための命令を含んでいる、
UE。
【０２０１】
〔実施例２０〕
複数の候補状態構成のうちから状態構成を選択するための命令が：
当該UEに関連付けられたUE型と、当該UEによってサポートされる一つまたは複数のサービスとのうちの少なくとも一方に少なくとも部分的には基づいて、前記複数の候補状態構成のうちから状態構成を選択するための命令を含む、
実施例１９記載のUE。
【０２０２】
〔実施例２１〕
前記プログラミングがさらに：
前記UEによってサポートされる前記一つまたは複数のサービスへの変更に応答して、前記複数の候補状態構成のうちから置換状態構成を選択し；
選択された置換状態構成に従って、前記無線インターフェースを介して前記無線ネットワークと通信するための命令をさらに含む、
実施例２０記載のUE。
【０２０３】
〔実施例２２〕
前記UEは少なくとも第一のサービスおよび第二のサービスを含む複数のサービスをサポートし；
状態構成を選択するための命令が：
前記UEによってサポートされる前記第一のサービスに少なくとも部分的には基づいて前記複数の候補状態構成のうちから第一の状態構成を選択し；
前記UEによってサポートされる前記第二のサービスに少なくとも部分的には基づいて前記複数の候補状態構成のうちから第二の状態構成を選択するための命令を含み、
前記選択された状態構成に従って前記無線ネットワークと通信するための命令が：
前記第一の選択された状態構成に従って前記第一のサービスに関して前記無線ネットワークと通信し；
前記第二の選択された状態構成に従って前記第二のサービスに関して前記無線ネットワークと通信するための命令を含む、
実施例１９ないし２１のうちいずれか一項記載のUE。
【０２０４】
〔実施例２３〕
前記第一の選択された状態構成に従って前記第一のサービスに関して前記無線ネットワークと通信するための命令が、前記第一の選択された状態構成に従って前記無線ネットワークの第一のネットワーク・スライスと通信するための命令を含み；
前記第二の選択された状態構成に従って前記第二のサービスに関して前記無線ネットワークと通信するための命令が、前記第二の選択された状態構成に従って前記無線ネットワークの第二のネットワーク・スライスと通信するための命令を含む、
実施例１９ないし２２のうちいずれか一項記載のUE。
【０２０５】
〔実施例２４〕
前記選択された状態構成は少なくとも：
無線アクセス・ネットワーク（RAN）とのUEコンテキストが前記UEによって維持される第一のエネルギー節約動作状態；および
前記RANとのUEコンテキストが前記UEによって維持されない第二のエネルギー節約動作状態を含む、
実施例１ないし５のうちいずれか一項記載のUE。
【０２０６】
〔実施例２５〕
前記選択された状態構成に従って前記無線ネットワークと通信するための命令が、前記第一のエネルギー節約動作状態において動作しているときに上りリンクおよび下りリンクの少なくとも一方で前記無線ネットワークとのライト接続管理を維持するための命令を含む、実施例１９ないし２４のうちいずれか一項記載のUE。
【０２０７】
〔実施例２６〕
当該UEが、前記第一のエネルギー節約動作状態において承認不要の（grant-free）上りリンク送信のために構成される、実施例１９ないし２５のうちいずれか一項記載のUE。
【０２０８】
〔実施例２７〕
前記状態機械の前記動作状態がアクティブな動作状態をさらに含み、該アクティブな動作状態では、当該UEは上りリンクおよび下りリンクで前記RANとのアクティブな接続管理を実行する、実施例１９ないし２４のうちいずれか一項記載のUE。
【０２０９】
〔実施例２８〕
前記第一のエネルギー節約動作状態と前記アクティブな動作状態との間の遷移が無競合（contention-free）である、実施例１９ないし２７のうちいずれか一項記載のUE。
【０２１０】
〔実施例２９〕
前記状態機械の前記動作状態が向上CONNECTED動作状態をさらに含み；
前記アクティブな動作状態および前記第一のエネルギー節約動作状態は前記向上CONNECTED動作状態のサブ状態である、
実施例２７記載のUE。
【０２１１】
〔実施例３０〕
前記向上CONNECTED動作状態のサブ状態の間の遷移は、前記RANへの明示的な状態遷移信号伝達なしに行なわれる、実施例１９ないし２９のうちいずれか一項記載のUE。
【０２１２】
〔実施例３１〕
前記状態機械の前記動作状態が向上IDLE動作状態をさらに含み；
前記第一のエネルギー節約動作状態および前記第二のエネルギー節約動作状態は前記向上IDLE動作状態のサブ状態である、
実施例１９ないし２７のうちいずれか一項記載のUE。
【０２１３】
〔実施例３２〕
前記向上IDLE動作状態のサブ状態の間の遷移は、前記RANへの明示的な状態遷移信号伝達なしに行なわれる、実施例１９ないし３１のうちいずれか一項記載のUE。
【０２１４】
〔実施例３３〕
前記向上IDLE動作状態において、当該UEは、当該UEによってサポートされるサービスおよび／または当該UEに関連付けられたUE型に基づいて、前記向上IDLE動作状態のサブ状態の一つで動作するよう構成される、実施例１９ないし３１のうちいずれか一項記載のUE。
【０２１５】
〔実施例３４〕
ユーザー装置（UE）を動作させる方法であって、当該方法は：
前記UEが複数の動作状態およびそれらの動作状態の少なくとも部分集合の間での状態遷移経路を有する状態機械に基づいて動作することを含み、前記状態機械の前記複数の動作状態は少なくとも：
無線アクセス・ネットワーク（RAN）とのUEコンテキストが前記UEによって維持される第一のエネルギー節約動作状態；および
前記RANとのUEコンテキストが前記UEによって維持されない第二のエネルギー節約動作状態を含む、
方法。
【０２１６】
〔実施例３５〕
前記第一のエネルギー節約動作状態において動作することは、上りリンクおよび下りリンクの少なくとも一方で前記RANとのライト接続管理を維持することを含む、実施例３４記載の方法。
【０２１７】
〔実施例３６〕
前記第一のエネルギー節約動作状態において、前記UEが上りリンクおよび下りリンクでライト接続管理を維持する、実施例３５記載の方法。
【０２１８】
〔実施例３７〕
前記第一のエネルギー節約動作状態において承認不要の（grant-free）上りリンク送信のために前記UEが構成される、実施例３４ないし３６のうちいずれか一項記載の方法。
【０２１９】
〔実施例３８〕
前記第一のエネルギー節約動作状態において、前記UEの定期的な位置追跡を容易にするために、前記UEは追跡チャネルをもって構成される、実施例３４ないし３７のうちいずれか一項記載の方法。
【０２２０】
〔実施例３９〕
前記状態機械の前記動作状態がアクティブな動作状態をさらに含み、該アクティブな動作状態では、前記UEは上りリンクおよび下りリンクで前記RANとのアクティブな接続管理を実行する、実施例３４ないし３８のうちいずれか一項記載の方法。
【０２２１】
〔実施例４０〕
前記状態機械は、前記第二のエネルギー節約動作状態から前記アクティブな動作状態への状態遷移経路を含むが、前記第二のエネルギー節約動作状態から前記第一のエネルギー節約動作状態への状態遷移経路は含まない、実施例３４ないし３９のうちいずれか一項記載の方法。
【０２２２】
〔実施例４１〕
前記第一のエネルギー節約動作状態と前記アクティブな動作状態との間の遷移が無競合（contention-free）である、実施例３４ないし３９のうちいずれか一項記載の方法。
【０２２３】
〔実施例４２〕
前記状態機械の前記動作状態が向上CONNECTED動作状態をさらに含み；
前記アクティブな動作状態および前記第一のエネルギー節約動作状態は前記向上CONNECTED動作状態のサブ状態である、
実施例３４ないし３９のうちいずれか一項記載の方法。
【０２２４】
〔実施例４３〕
前記向上CONNECTED動作状態のサブ状態の間の遷移は、前記RANへの明示的な状態遷移信号伝達なしに行なわれる、実施例３４ないし４２のうちいずれか一項記載の方法。
【０２２５】
〔実施例４４〕
前記状態機械の前記動作状態が向上IDLE動作状態をさらに含み；
前記第一のエネルギー節約動作状態および前記第二のエネルギー節約動作状態は前記向上IDLE動作状態のサブ状態である、
実施例３４ないし３９のうちいずれか一項記載の方法。
【０２２６】
〔実施例４５〕
前記向上IDLE動作状態のサブ状態の間の遷移は、前記RANへの明示的な状態遷移信号伝達なしに行なわれる、実施例３４ないし４４のうちいずれか一項記載の方法。
【０２２７】
〔実施例４６〕
前記向上IDLE動作状態において、前記UEは、前記UEによってサポートされるサービスおよび／または前記UEに関連付けられたUE型に基づいて、前記向上IDLE動作状態のサブ状態の一つで動作するよう構成される、実施例３４ないし４４のうちいずれか一項記載の方法。
【０２２８】
〔実施例４７〕
無線インターフェースと；
前記無線インターフェースに動作上結合されたプロセッサと；
前記プロセッサによる実行のためのプログラミングを記憶している、前記プロセッサに動作上結合されたコンピュータ可読記憶媒体とを有するユーザー装置（UE）であって、前記プログラミングは：
当該UEが複数の動作状態およびそれらの動作状態の少なくとも部分集合の間での状態遷移経路を有する状態機械に基づいて動作させるための命令を含み、前記状態機械の前記動作状態は少なくとも：
無線アクセス・ネットワーク（RAN）とのUEコンテキストが当該UEによって維持される第一のエネルギー節約動作状態；および
前記RANとのUEコンテキストが当該UEによって維持されない第二のエネルギー節約動作状態を含む、
UE。
【０２２９】
〔実施例４８〕
前記第一のエネルギー節約動作状態において動作することは、上りリンクおよび下りリンクの少なくとも一方で前記RANとのライト接続管理を維持することを含む、実施例４７記載のUE。
【０２３０】
〔実施例４９〕
前記第一のエネルギー節約動作状態において、当該UEが上りリンクおよび下りリンクでライト接続管理を維持する、実施例４８記載のUE。
【０２３１】
〔実施例５０〕
前記第一のエネルギー節約動作状態において承認不要の（grant-free）上りリンク送信のために当該UEが構成される、実施例４８記載のUE。
【０２３２】
〔実施例５１〕
前記状態機械の前記動作状態がアクティブな動作状態をさらに含み、該アクティブな動作状態では、当該UEは上りリンクおよび下りリンクで前記RANとのアクティブな接続管理を実行する、実施例４７ないし５１のうちいずれか一項記載のUE。
【０２３３】
〔実施例５２〕
前記第一のエネルギー節約動作状態と前記アクティブな動作状態との間の遷移が無競合（contention-free）である、実施例４７ないし５１のうちいずれか一項記載のUE。
【０２３４】
〔実施例５３〕
前記状態機械の前記動作状態が向上CONNECTED動作状態をさらに含み；
前記アクティブな動作状態および前記第一のエネルギー節約動作状態は前記向上CONNECTED動作状態のサブ状態である、
実施例４７ないし５１のうちいずれか一項記載のUE。
【０２３５】
〔実施例５４〕
前記向上CONNECTED動作状態のサブ状態の間の遷移は、前記RANへの明示的な状態遷移信号伝達なしに行なわれる、実施例４７ないし５３のうちいずれか一項記載のUE。
【０２３６】
〔実施例５５〕
前記状態機械の前記動作状態が向上IDLE動作状態をさらに含み；
前記第一のエネルギー節約動作状態および前記第二のエネルギー節約動作状態は前記向上IDLE動作状態のサブ状態である、
実施例４７ないし５１のうちいずれか一項記載のUE。
【０２３７】
〔実施例５６〕
前記向上IDLE動作状態のサブ状態の間の遷移は、前記RANへの明示的な状態遷移信号伝達なしに行なわれる、実施例４７ないし５５のうちいずれか一項記載のUE。
【０２３８】
〔実施例５７〕
前記向上IDLE動作状態において、当該UEは、当該UEによってサポートされるサービスおよび／または当該UEに関連付けられたUE型に基づいて、前記向上IDLE動作状態のサブ状態の一つで動作するよう構成される、実施例４７ないし５５のうちいずれか一項記載のUE。
【０２３９】
〔実施例５８〕
無線アクセス・ネットワーク（RAN）装置における方法であって、当該方法は：
複数の動作状態およびそれらの動作状態の少なくとも部分集合の間での状態遷移経路を有する状態機械に基づいて動作するユーザー装置（UE）であって、前記状態機械の前記動作状態は少なくとも第一のエネルギー節約動作状態および第二のエネルギー節約動作状態を含む、UEについて：
前記UEが前記第一のエネルギー節約動作状態において動作しているときは、前記UEについてUEコンテキスト情報を維持し；
前記UEが前記第二のエネルギー節約動作状態において動作しているときは、前記UEについてUEコンテキスト情報を維持しないことを含む、
方法。
【０２４０】
〔実施例５９〕
前記UEが前記第一のエネルギー節約動作状態において動作しているときに、上りリンクおよび下りリンクの少なくとも一方で前記UEとのライト接続管理を維持することをさらに含む、実施例５８記載の方法。
【０２４１】
〔実施例６０〕
前記UEが前記第一のエネルギー節約動作状態において動作しているとき、前記UEから承認不要の（grant-free）上りリンク送信を受信することをさらに含む、実施例５９記載の方法。
【０２４２】
〔実施例６１〕
前記UEが前記第一のエネルギー節約動作状態において動作しているとき、前記ネットワーク装置が前記UEの位置追跡を実行することをさらに含む、実施例５８ないし６０のうちいずれか一項記載の方法。
【０２４３】
〔実施例６２〕
前記状態機械の前記動作状態がアクティブな動作状態をさらに含み、当該方法がさらに：
前記UEが前記アクティブな動作状態で動作しているとき、上りリンクおよび下りリンクで前記UEとのアクティブな接続管理を実行することを含む、
実施例５８ないし６１のうちいずれか一項記載の方法。
【０２４４】
〔実施例６３〕
前記状態機械の前記動作状態が向上CONNECTED動作状態をさらに含み；
前記アクティブな動作状態および前記第一のエネルギー節約動作状態は前記向上CONNECTED動作状態のサブ状態である、
実施例５８ないし６２のうちいずれか一項記載の方法。
【０２４５】
〔実施例６４〕
前記状態機械の前記動作状態が向上IDLE動作状態をさらに含み；
前記第一のエネルギー節約動作状態および前記第二のエネルギー節約動作状態は前記向上IDLE動作状態のサブ状態である、
実施例５８ないし６２のうちいずれか一項記載の方法。
【０２４６】
〔実施例６５〕
前記UEの前記向上IDLE動作状態について、前記ネットワーク装置は、前記UEによってサポートされるサービスおよび／または前記UEに関連付けられたUE型に基づいて前記向上IDLE動作状態のサブ状態の一つに従う前記UEと通信するよう構成される、実施例５８ないし６４のうちいずれか一項記載の方法。
【０２４７】
〔実施例６６〕
無線インターフェースと；
前記無線インターフェースに動作上結合されたプロセッサと；
前記プロセッサによる実行のためのプログラミングを記憶している、前記プロセッサに動作上結合されたコンピュータ可読記憶媒体とを有するネットワーク装置であって、前記プログラミングは：
複数の動作状態およびそれらの動作状態の少なくとも部分集合の間での状態遷移経路を有する状態機械に基づいて動作するユーザー装置（UE）であって、前記状態機械の前記動作状態は少なくとも第一のエネルギー節約動作状態および第二のエネルギー節約動作状態を含む、UEについて：
前記UEが前記第一のエネルギー節約動作状態において動作しているときは、前記UEについてUEコンテキスト情報を維持し；
前記UEが前記第二のエネルギー節約動作状態において動作しているときは、前記UEについてUEコンテキスト情報を維持しないための命令を含む、
ネットワーク装置。
【０２４８】
〔実施例６７〕
前記プログラミングがさらに、前記UEが前記第一のエネルギー節約動作状態において動作しているときに、上りリンクおよび下りリンクの少なくとも一方で前記UEとのライト接続管理を維持するための命令をさらに含む、実施例６６記載のネットワーク装置。
【０２４９】
〔実施例６８〕
前記プログラミングがさらに、前記UEが前記第一のエネルギー節約動作状態において動作しているとき、前記UEから承認不要の（grant-free）上りリンク送信があるかどうかモニタリングするための命令をさらに含む、実施例６８記載のネットワーク装置。
【０２５０】
〔実施例６９〕
前記プログラミングがさらに、前記UEが前記第一のエネルギー節約動作状態において動作しているとき、前記UEについての位置追跡手順を実行するための命令を含む、実施例６６ないし６８のうちいずれか一項記載のネットワーク装置。
【０２５１】
〔実施例７０〕
前記状態機械の前記動作状態がアクティブな動作状態をさらに含み、
前記プログラミングがさらに、前記UEが前記アクティブな動作状態で動作しているとき、上りリンクおよび下りリンクで前記UEとのアクティブな接続管理を実行するための命令を含む、
実施例６６ないし６９のうちいずれか一項記載のネットワーク装置。
【０２５２】
〔実施例７１〕
前記状態機械の前記動作状態が向上CONNECTED動作状態をさらに含み；
前記アクティブな動作状態および前記第一のエネルギー節約動作状態は前記向上CONNECTED動作状態のサブ状態である、
実施例６６ないし７０のうちいずれか一項記載のネットワーク装置。
【０２５３】
〔実施例７２〕
前記状態機械の前記動作状態が向上IDLE動作状態をさらに含み；
前記第一のエネルギー節約動作状態および前記第二のエネルギー節約動作状態は前記向上IDLE動作状態のサブ状態である、
実施例６６ないし７０のうちいずれか一項記載のネットワーク装置。
【０２５４】
〔実施例７３〕
前記UEの前記向上IDLE動作状態について、当該ネットワーク装置は、前記UEによってサポートされるサービスおよび／または前記UEに関連付けられたUE型に基づいて前記向上IDLE動作状態のサブ状態の一つに従う前記UEと通信するよう構成される、実施例６６ないし７２のうちいずれか一項記載のネットワーク装置。
【０２５５】
上記の教示に照らして、本願の数多くの修正および変形が可能である。よって、付属の請求項の範囲内で、本願が本稿で具体的に記載される以外の仕方で実施されうることが理解される。
【０２５６】
さらに、主として方法、装置および設備のコンテキストで記載されているが、たとえば非一時的なコンピュータ可読媒体に記憶された命令の形など、他の実装も考えられている。
【図１】
2019509674.tif 000003
【図２】
2019509674.tif 000004
【図３】
2019509674.tif 000005
【図４Ａ】
2019509674.tif 000006
【図４Ｂ】
2019509674.tif 000007
【図４Ｃ】
2019509674.tif 000008
【図４Ｄ】
2019509674.tif 000009
【図５Ａ】
2019509674.tif 000010
【図５Ｂ】
2019509674.tif 000011
【図６】
2019509674.tif 000012
【図７】
2019509674.tif 000013
【図８】
2019509674.tif 000014
【図９】
2019509674.tif 000015
【図１０】
2019509674.tif 000016
【図１１】
2019509674.tif 000017
【図１２】
2019509674.tif 000018
【図１３】
2019509674.tif 000019
【手続補正書】
【提出日】平成30年9月3日(2018.9.3)
【手続補正１】
【補正対象書類名】特許請求の範囲
【補正対象項目名】全文
【補正方法】変更
【補正の内容】
【特許請求の範囲】
【請求項１】
無線ネットワークにおいて複数のUE状態構成をサポートするための方法であって、当該方法は：
ユーザー装置（UE）によって、前記無線ネットワークから、前記UEのために選択された状態構成に関する情報を受信する段階であって、前記選択された状態構成は複数の候補状態構成のうちから選択されたものであり、各候補状態構成はそれぞれの一つまたは複数のあらかじめ定義された動作状態と関連付けられている、段階と；
前記UEによって、選択された状態構成に従って前記無線ネットワークと通信する段階とを含む、
方法。
【請求項２】
前記UEによって、UEエア・インターフェース機能交換手順の一部として、前記UEに関連付けられたUE型と、前記UEによってサポートされる一つまたは複数のサービスとのうちの少なくとも一方に関する情報を送信することをさらに含み、
前記UEのために選択された状態構成は、前記UEに関連付けられた前記UE型に関する情報と、前記UEによってサポートされる前記一つまたは複数のサービスに関する情報とのうちの少なくとも一方に少なくとも部分的には基づいて前記複数の候補状態構成のうちから選択される、
請求項１記載の方法。
【請求項３】
前記UEによって、UEサポート・サービス変更手順の一部として、前記UEによってサポートされる前記一つまたは複数のサービスへの変更に関する情報を送信する段階と；
前記UEによって、前記UEによってサポートされる前記一つまたは複数のサービスへの変更に関する情報に少なくとも部分的には基づいて、前記複数の候補状態構成のうちから前記UEのために選択された置換状態構成に関する情報を前記無線ネットワークから受信する段階と；
前記UEによって、選択された置換状態構成に従って前記無線ネットワークと通信する段階とをさらに含む、
請求項２記載の方法。
【請求項４】
前記UEは少なくとも第一のサービスおよび第二のサービスを含む複数のサービスをサポートし、
前記UEによって、前記無線ネットワークから、前記UEのために選択された状態構成に関する情報を受信することが：
前記UEによって、前記UEによってサポートされる前記第一のサービスに少なくとも部分的には基づいて前記複数の候補状態構成のうちから選択された第一の状態構成に関する情報を受信し；
前記UEによって、前記UEによってサポートされる前記第二のサービスに少なくとも部分的には基づいて前記複数の候補状態構成のうちから選択された第二の状態構成に関する情報を受信することを含み、
前記UEによって、前記選択された状態構成に従って前記無線ネットワークと通信することが：
前記UEによって、前記第一の選択された状態構成に従って前記第一のサービスに関して前記無線ネットワークと通信し；
前記UEによって、前記第二の選択された状態構成に従って前記第二のサービスに関して前記無線ネットワークと通信することを含む、
請求項１ないし３のうちいずれか一項記載の方法。
【請求項５】
前記第一の選択された状態構成に従って前記第一のサービスに関して前記無線ネットワークと通信することは、前記第一の選択された状態構成に従って前記無線ネットワークの第一のネットワーク・スライスと通信することを含み；
前記第二の選択された状態構成に従って前記第二のサービスに関して前記無線ネットワークと通信することは、前記第二の選択された状態構成に従って前記無線ネットワークの第二のネットワーク・スライスと通信することを含む、
請求項１ないし４のうちいずれか一項記載の方法。
【請求項６】
前記選択された状態構成は少なくともエネルギー節約動作状態に関連付けられ、該エネルギー節約動作状態においては、UEコンテキストが、前記UEによって、前記無線ネットワークとともに維持される、請求項１ないし５のうちいずれか一項記載の方法。
【請求項７】
各候補状態構成はさらに、前記関連付けられたあらかじめ定義された動作状態の間の一つまたは複数の有効な状態遷移経路を示す、請求項１ないし６のうちいずれか一項記載の方法。
【請求項８】
無線インターフェースと；
前記無線インターフェースに動作上結合されたプロセッサと；
前記プロセッサによる実行のためのプログラミングを記憶している、前記プロセッサに動作上結合されたコンピュータ可読記憶媒体とを有するユーザー装置（UE）であって、前記プログラミングは：
無線ネットワークから、当該UEのために選択された状態構成に関する情報を前記無線インターフェースを介して受信する段階であって、前記選択された状態構成は複数の候補状態構成のうちから選択されたものであり、各候補状態構成はそれぞれの一つまたは複数のあらかじめ定義された動作状態と関連付けられている、段階と；
選択された状態構成に従って前記無線ネットワークと通信する段階とを実行するための命令を含む、
UE。
【請求項９】
前記プログラミングはさらに：
前記無線インターフェースを介して、UEエア・インターフェース機能交換手順の一部として、当該UEに関連付けられたUE型と、当該UEによってサポートされる一つまたは複数のサービスとのうちの少なくとも一方に関する情報を送信するための命令を含み、
当該UEのために選択された状態構成は、当該UEに関連付けられた前記UE型に関する情報と、当該UEによってサポートされる前記一つまたは複数のサービスに関する情報とのうちの少なくとも一方に少なくとも部分的には基づいて前記複数の候補状態構成のうちから選択される、
請求項８記載のUE。
【請求項１０】
前記プログラミングはさらに：
前記無線インターフェースを介して、UEサポート・サービス変更手順の一部として、当該UEによってサポートされる前記一つまたは複数のサービスへの変更に関する情報を送信する段階と；
前記無線インターフェースを介して、当該UEによってサポートされる前記一つまたは複数のサービスへの変更に関する情報に少なくとも部分的には基づいて、前記複数の候補状態構成のうちから当該UEのために選択された置換状態構成に関する情報を前記無線ネットワークから受信する段階と；
前記無線インターフェースを介して、選択された置換状態構成に従って前記無線ネットワークと通信する段階とを実行するための命令を含む、
請求項９記載のUE。
【請求項１１】
当該UEは少なくとも第一のサービスおよび第二のサービスを含む複数のサービスをサポートし、
前記無線ネットワークから、当該UEのために選択された状態構成に関する情報を受信するための命令は：
当該UEによってサポートされる前記第一のサービスに少なくとも部分的には基づいて前記複数の候補状態構成のうちから選択された第一の状態構成に関する情報を受信し；
当該UEによってサポートされる前記第二のサービスに少なくとも部分的には基づいて前記複数の候補状態構成のうちから選択された第二の状態構成に関する情報を受信するための命令を含み；
前記選択された状態構成に従って前記無線ネットワークと通信するための命令は；
前記第一の選択された状態構成に従って前記第一のサービスに関して前記無線ネットワークと通信し；
前記第二の選択された状態構成に従って前記第二のサービスに関して前記無線ネットワークと通信するための命令を含む、
請求項８ないし１０のうちいずれか一項記載のUE。
【請求項１２】
前記第一の選択された状態構成に従って前記第一のサービスに関して前記無線ネットワークと通信するための命令は、前記第一の選択された状態構成に従って前記無線ネットワークの第一のネットワーク・スライスと通信するための命令を含み；
前記第二の選択された状態構成に従って前記第二のサービスに関して前記無線ネットワークと通信するための命令は、前記第二の選択された状態構成に従って前記無線ネットワークの第二のネットワーク・スライスと通信するための命令を含む、
請求項８ないし１１のうちいずれか一項記載のUE。
【請求項１３】
前記選択された状態構成は少なくともエネルギー節約動作状態に関連付けられ、該エネルギー節約動作状態においてはUEコンテキストが、当該UEによって、前記無線ネットワークとともに維持される、
請求項８ないし１２のうちいずれか一項記載のUE。
【請求項１４】
各候補状態構成はさらに、前記関連付けられたあらかじめ定義された動作状態の間の一つまたは複数の有効な状態遷移経路を示す、請求項８ないし１３のうちいずれか一項記載のUE。
【請求項１５】
無線ネットワークにおいて複数のユーザー装置（UE）状態構成をサポートするための方法であって、当該方法は：
ネットワーク装置によってUEのために、複数の候補状態構成のうちから状態構成を選択する段階であって、各候補状態構成はそれぞれの一つまたは複数のあらかじめ定義された動作状態と関連付けられている、段階と；
前記ネットワーク装置によって、選択された状態構成に関して情報を前記UEに送信する段階とを含む、
方法。
【請求項１６】
状態構成を選択することは、前記UEに関連付けられたUE型と、前記UEによってサポートされる一つまたは複数のサービスとのうちの少なくとも一方に少なくとも部分的には基づいて状態構成を選択することを含む、請求項１５記載の方法。
【請求項１７】
前記ネットワーク装置によって、UEエア・インターフェース機能交換手順の一部として、前記UEに関連付けられた前記UE型と、前記UEによってサポートされる前記一つまたは複数のサービスとのうちの少なくとも一方に関する情報を受信することをさらに含む、
請求項１６記載の方法。
【請求項１８】
前記ネットワーク装置によって、UEサポート・サービス変更手順の一部として、前記UEによってサポートされる前記一つまたは複数のサービスへの変更に関する情報を受信し；
前記UEによってサポートされる前記一つまたは複数のサービスへの変更に関する前記情報を受信することに応答して、前記ネットワーク装置によって、前記UEによってサポートされる前記一つまたは複数のサービスへの変更に関する前記情報に少なくとも部分的に基づいて、前記複数の候補状態構成のうちから置換状態構成を選択し；
前記ネットワーク装置によって、選択された置換状態構成に関して情報を前記UEに送信することをさらに含む、
請求項１６記載の方法。
【請求項１９】
複数の候補状態構成のうちから状態構成を選択することは：
前記UEによってサポートされる第一のサービスに少なくとも部分的には基づいて第一の状態構成を選択し；
前記UEによってサポートされる第二のサービスに少なくとも部分的には基づいて第二の状態構成を選択することを含み、
選択された状態構成に関して情報を前記UEに送信することは、選択された第一および第二の状態構成に関する情報を前記UEに送信することを含む、
請求項１５ないし１８のうちいずれか一項記載の方法。
【請求項２０】
前記第一の状態構成に基づいて第一のネットワーク・スライスにおいて前記第一のサービスを提供し；
前記第二の状態構成に基づいて第二のネットワーク・スライスにおいて前記第二のサービスを提供することをさらに含む、
請求項１５ないし１９のうちいずれか一項記載の方法。
【請求項２１】
前記複数の候補状態構成のうちから状態構成を選択することは、前記UEによってサポートされる複数のネットワーク・スライスのための状態構成を選択することを含み、前記複数のネットワーク・スライスのそれぞれは前記複数の候補状態構成のうちのそれぞれの状態構成に関連付けられており、
当該方法はさらに：
前記選択された状態構成に基づいて、前記UEによってサポートされる前記複数のネットワーク・スライスのうちの第一のネットワーク・スライスにおいて前記UEに第一のサービスを提供し；
前記選択された状態構成に基づいて、前記UEによってサポートされる前記複数のネットワーク・スライスのうちの第二のネットワーク・スライスにおいて前記UEに第二のサービスを提供することをさらに含む、
請求項１５ないし２０のうちいずれか一項記載の方法。
【請求項２２】
前記一つまたは複数のあらかじめ定義された動作状態は、以下の動作状態、すなわち：ACTIVE状態、ECO状態；IDLE状態；向上IDLE状態；および向上ECO状態のうちの少なくとも二つを含む、請求項１５ないし２１のうちいずれか一項記載の方法。
【請求項２３】
各候補状態構成はさらに、前記関連付けられたあらかじめ定義された動作状態の間の一つまたは複数の有効な状態遷移経路を示す、請求項１５ないし２２のうちいずれか一項記載の方法。
【請求項２４】
前記複数の候補状態構成は、以下の候補状態構成、すなわち：
ACTIVE状態およびECO状態を含むあらかじめ定義された動作状態の集合に関連付けられた候補状態構成；
ECO状態およびIDLE状態を含むあらかじめ定義された動作状態の集合に関連付けられた候補状態構成；
ACTIVE状態、ECO状態およびIDLE状態を含むあらかじめ定義された動作状態の集合に関連付けられた候補状態構成；
ACTIVE状態およびIDLE状態を含むあらかじめ定義された動作状態の集合に関連付けられた候補状態構成；
向上CONNECTED状態およびIDLE状態を含むあらかじめ定義された動作状態の集合に関連付けられた候補状態構成；および
向上IDLE状態およびACTIVE状態を含むあらかじめ定義された動作状態の集合に関連付けられた候補状態構成
のうちの少なくとも二つを含む、請求項１５ないし２３のうちいずれか一項記載の方法。
【請求項２５】
前記向上CONNECTED状態はその中にACTIVEおよびECOサブ状態を含み、その両者の間の状態遷移経路が前記向上CONNECTED状態内である、請求項１５ないし２４のうちいずれか一項記載の方法。
【請求項２６】
前記向上IDLE状態はその中にIDLEおよびECOサブ状態を含み、その両者の間の状態遷移経路が前記向上IDLE状態内である、請求項１５ないし２４のうちいずれか一項記載の方法。
【請求項２７】
前記選択された状態構成に従って前記UEと通信することをさらに含む、請求項１５ないし２６のうちいずれか一項記載の方法。
【請求項２８】
前記選択された状態構成は少なくともエネルギー節約動作状態に関連付けられ、当該方法はさらに：
前記エネルギー節約動作状態にある前記UEについてUEコンテキスト情報を維持することを含む、
請求項１５ないし２７のうちいずれか一項記載の方法。
【請求項２９】
無線インターフェースと；
前記無線インターフェースに動作上結合されたプロセッサと；
前記プロセッサによる実行のためのプログラミングを記憶している、前記プロセッサに動作上結合されたコンピュータ可読記憶媒体とを有するネットワーク装置であって、前記プログラミングは：
ユーザー装置（UE）のために、複数の候補状態構成のうちから状態構成を選択する段階であって、各候補状態構成はそれぞれの一つまたは複数のあらかじめ定義された動作状態と関連付けられている、段階と；
前記無線インターフェースを介して、選択された状態構成に関して情報を前記UEに送信する段階とを実行するための命令を含む、
ネットワーク装置。
【請求項３０】
状態構成を選択するための命令は、前記UEに関連付けられたUE型と、前記UEによってサポートされる一つまたは複数のサービスとのうちの少なくとも一方に少なくとも部分的には基づいて状態構成を選択するための命令を含む、請求項２９記載のネットワーク装置。
【請求項３１】
前記プログラミングはさらに、UEエア・インターフェース機能交換手順の一部として、前記UEに関連付けられた前記UE型と、前記UEによってサポートされる前記一つまたは複数のサービスとのうちの少なくとも一方に関する情報を前記無線インターフェースを介して受信するための命令を含む、請求項３０記載のネットワーク装置。
【請求項３２】
前記プログラミングはさらに：
前記無線インターフェースを介して、UEサポート・サービス変更手順の一部として、前記UEによってサポートされる前記一つまたは複数のサービスへの変更に関する情報を受信し；
前記UEによってサポートされる前記一つまたは複数のサービスへの変更に関する前記情報を受信することに応答して、前記UEによってサポートされる前記一つまたは複数のサービスへの変更に関する前記情報に少なくとも部分的に基づいて、前記複数の候補状態構成のうちから置換状態構成を選択し；
前記無線インターフェースを介して、選択された置換状態構成に関して情報を前記UEに送信するための命令を含む、
請求項３０記載のネットワーク装置。
【請求項３３】
複数の候補状態構成のうちから状態構成を選択するための命令は：
前記UEによってサポートされる第一のサービスに少なくとも部分的には基づいて第一の状態構成を選択し；
前記UEによってサポートされる第二のサービスに少なくとも部分的には基づいて第二の状態構成を選択するための命令を含み、
前記無線インターフェースを介して、選択された状態構成に関して情報を前記UEに送信するための命令は、選択された第一および第二の状態構成に関して情報を前記UEに送信するための命令を含む、
請求項２９ないし３２のうちいずれか一項記載のネットワーク装置。
【請求項３４】
前記プログラミングはさらに：
前記第一の状態構成に基づいて第一のネットワーク・スライスにおいて前記第一のサービスを提供し；
前記第二の状態構成に基づいて第二のネットワーク・スライスにおいて前記第二のサービスを提供するための命令を含む、
請求項２９ないし３３のうちいずれか一項記載のネットワーク装置。
【請求項３５】
前記複数の候補状態構成のうちから状態構成を選択するための命令は、前記UEによってサポートされる複数のネットワーク・スライスのための状態構成を選択するための命令を含み、前記複数のネットワーク・スライスのそれぞれは前記複数の候補状態構成のうちでそれぞれの状態構成に関連付けられており、
前記プログラミングはさらに：
前記選択された状態構成に基づいて、前記UEによってサポートされる前記複数のネットワーク・スライスのうちの第一のネットワーク・スライスにおいて前記UEにサービスを提供し；
前記選択された状態構成に基づいて、前記UEによってサポートされる前記複数のネットワーク・スライスのうちの第二のネットワーク・スライスにおいて前記UEにサービスを提供するための命令を含む、
請求項２９ないし３４のうちいずれか一項記載のネットワーク装置。
【請求項３６】
前記一つまたは複数のあらかじめ定義された動作状態は、以下の動作状態、すなわち：ACTIVE状態、ECO状態；IDLE状態；向上IDLE状態；および向上ECO状態のうちの少なくとも二つを含む、請求項２９ないし３５のうちいずれか一項記載のネットワーク装置。
【請求項３７】
各候補状態構成はさらに、前記関連付けられたあらかじめ定義された動作状態の間の一つまたは複数の有効な状態遷移経路を示す、請求項２９ないし３６のうちいずれか一項記載のネットワーク装置。
【請求項３８】
前記複数の候補状態構成は、以下の候補状態構成、すなわち：
ACTIVE状態およびECO状態を含むあらかじめ定義された動作状態の集合に関連付けられた候補状態構成；
ECO状態およびIDLE状態を含むあらかじめ定義された動作状態の集合に関連付けられた候補状態構成；
ACTIVE状態、ECO状態およびIDLE状態を含むあらかじめ定義された動作状態の集合に関連付けられた候補状態構成；
ACTIVE状態およびIDLE状態を含むあらかじめ定義された動作状態の集合に関連付けられた候補状態構成；
向上CONNECTED状態およびIDLE状態を含むあらかじめ定義された動作状態の集合に関連付けられた候補状態構成；および
向上IDLE状態およびACTIVE状態を含むあらかじめ定義された動作状態の集合に関連付けられた候補状態構成
のうちの少なくとも二つを含む、
請求項２９ないし３７のうちいずれか一項記載のネットワーク装置。
【請求項３９】
前記向上CONNECTED状態はその中にACTIVEおよびECOサブ状態を含み、その両者の間の状態遷移経路は前記向上CONNECTED状態内である、請求項２９ないし３８のうちいずれか一項記載のネットワーク装置。
【請求項４０】
前記向上IDLE状態はその中にIDLEおよびECOサブ状態を含み、その両者の間の状態遷移経路は前記向上IDLE状態内である、請求項２９ないし３８のうちいずれか一項記載のネットワーク装置。
【請求項４１】
前記プログラミングはさらに、前記選択された状態構成に従って前記UEと通信するための命令を含む、請求項２９ないし４０のうちいずれか一項記載のネットワーク装置。
【請求項４２】
前記選択された状態構成は少なくともエネルギー節約動作状態に関連付けられ、前記プログラミングはさらに：
前記エネルギー節約動作状態にある前記UEについてUEコンテキスト情報を維持するための命令を含む、
請求項２９ないし４１のうちいずれか一項記載のネットワーク装置。
【国際調査報告】
2019509674.tif 000020
2019509674.tif 000021